(57)【特許請求の範囲】
【請求項１】
回胴を回転させて停止させる遊技を行う回胴式遊技機において、
回胴の動作態様として、通常の動作態様と、該通常の動作態様と異なる所定の動作態様とを設け、
遊技の進行過程における所定時期に、前記所定の動作態様で回胴を制御する遊技制御手段を備え、
前記遊技制御手段は、
回胴を所定の速度で回転させるための加速処理を行うことによって所定時間に亘って前記所定の動作態様で回胴を制御するとともに、該所定時間を計時するものであって、
前記所定の動作態様で回胴を制御しているときに電力の供給が断たれる電断が発生し、その後に電力の供給が回復すると、前記加速処理を行うことなく、前記所定時間の計時を再開し、前記所定時間の経過に伴い前記通常の動作態様で回胴を制御する
ことを特徴とする回胴式遊技機。
【発明の詳細な説明】
【技術分野】
【０００１】
本発明は、外周面に複数種類の図柄が描かれた複数の回胴を回転させ、該複数の回胴が
停止したときの図柄組合せに応じて、所定の特典が遊技者に付与される遊技を行う回胴式
遊技機に関する。
【背景技術】
【０００２】
外周面に複数種類の図柄が描かれた複数の回胴を回転させ、所定の図柄組合せが揃うよ
うに各回胴を停止させる遊技を行う回胴式遊技機が広く知られている。こうした回胴式遊
技機では、遊技者が、スタートレバーを操作して回胴を回転させた後、停止ボタンを操作
して回胴を停止させるという単純な操作を繰り返すことによって遊技が行われる。
【０００３】
このため、所定の図柄組合せを揃えることができないと遊技が単調になってしまい、遊
技者が退屈に感じることがある。そこで、所定の条件が揃った場合には、通常とは異なる
特殊な回転態様で回胴を回転させることで（回胴に対し特殊動作を実行することで）、遊
技に変化を与えて遊技者の退屈感を払拭しようとする技術が提案されている。例えば、回
胴を回転させる際に回転方向の抽選を行い、抽選結果に応じた方向に回転させる技術が提
案されている（特許文献１）。
【先行技術文献】
【特許文献】
【０００４】
【特許文献１】特開２００５−１１１０３５号公報
【発明の概要】
【発明が解決しようとする課題】
【０００５】
しかし、このような特殊動作を多様化すると、特殊動作中に回胴式遊技機への電力供給
が切断される電断状態が発生した場合に、電力の供給が回復したことを受けて遊技を再開
させる際に、復帰時の処理が複雑化してしまう虞があった。すなわち、多様化した特殊動
作中に電断状態が発生すると、電断発生前の特殊動作に復帰させるために読み込むべきデ
ータ量などが増加し、それだけ復帰時の処理が複雑化する虞があった。
【０００６】
この発明は、従来の技術が有する上述した課題に対応してなされたものであり、回胴を
用いた演出の多様化によって演出効果を高めることが可能でありながら、電断状態からの
復帰時には簡単に遊技を再開することが可能な回胴式遊技機の提供を目的とする。
【課題を解決するための手段】
【０００７】
上述した課題の少なくとも一部を解決するために、本発明の回胴式遊技機は次の構成を採用した。すなわち、
回胴を回転させて停止させる遊技を行う回胴式遊技機において、
回胴の動作態様として、通常の動作態様と、該通常の動作態様と異なる所定の動作態様とを設け、
遊技の進行過程における所定時期に、前記所定の動作態様で回胴を制御する遊技制御手段を備え、
前記遊技制御手段は、
回胴を所定の速度で回転させるための加速処理を行うことによって所定時間に亘って前記所定の動作態様で回胴を制御するとともに、該所定時間を計時するものであって、
前記所定の動作態様で回胴を制御しているときに電力の供給が断たれる電断が発生し、その後に電力の供給が回復すると、前記加速処理を行うことなく、前記所定時間の計時を再開し、前記所定時間の経過に伴い前記通常の動作態様で回胴を制御する
ことを特徴とする。
【０００８】
また、本明細書において参考的に開示する発明（以下、参考発明という）は、
外周面に複数種類の図柄が表示された複数の回胴を、所定の規定回転速度で所定の規定
方向に通常回転させた後、該回胴毎に設けられた停止ボタンを操作することによって、対
応する回胴を停止させる遊技を行う回胴式遊技機において、
前記複数の回胴を前記通常回転させる通常回転実行手段と、
回転速度または回転方向の少なくとも一方が前記通常回転と異なる複数の特殊回転のい
ずれかを、前記通常回転に先立って所定時間に亘り実行する特殊回転実行手段と、
電力の供給が切断される電断状態が前記通常回転中に発生し、その後に電力の供給が回
復すると、前記通常回転を再度実行して該電断状態が発生したときの遊技に復帰させる通
常復帰手段と、
前記電断状態が前記特殊回転中に発生したときに、前記特殊回転の残りの実行時間を記
憶する残り時間記憶手段と、
前記電断状態が前記特殊回転中に発生し、その後に電力の供給が回復すると、所定の特
殊復帰処理を実行して、前記電断状態が発生したときの遊技に復帰させる特殊復帰手段と
を備え、
前記通常回転実行手段は、前記回胴の回転速度を前記規定回転速度まで加速させ、その
後に前記回胴の回転速度を前記規定回転速度で保つ通常回転用駆動処理を行うことで、前
記回胴を前記通常回転させ、
前記特殊回転実行手段は、前記回胴の回転速度を前記特殊回転の種別に対応する所定の
回転速度まで加速させ、その後に前記回胴の回転速度を前記所定の回転速度で保つ特殊回
転用駆動処理を行うことで、前記回胴を前記特殊回転させ、
前記特殊復帰手段は、
前記特殊復帰処理として、前記残り時間記憶手段に記憶されている前記残りの実行時間
を計時するとともに、該残りの実行時間が経過するまで、前記通常回転用駆動処理および
前記特殊回転用駆動処理の何れも行わず、前記残り時間の経過に伴い、前記通常回転用駆
動処理を実行して前記回胴を前記通常回転させて、前記電断状態が発生したときの遊技に
復帰させる処理を実行する
ことを特徴とする。
【０００９】
こうした参考発明の回胴式遊技機においては、複数の回胴を規定回転速度で規定方向に
回転させる通常回転を行っている状態で、回胴毎に設けられた停止ボタンを操作すること
によって、回胴を停止させることが可能である。また、この通常回転に先立って、通常回
転とは回転速度または回転方向の少なくとも何れか一方が異なる特殊回転を行うことも可
能となっている。そして、通常回転中に電断状態が発生した場合には、電力の供給が回復
すると、複数の回胴が通常回転を行う状態に復帰させる。これに対して、特殊回転中に電
断状態が発生した場合には、その特殊回転の残り時間を記憶すると共に、電力の供給回復
後は、残りの実行時間を計時して、残りの実行時間が経過するまでは通常回転あるいは特
殊回転の何れも行わない。そして、残り時間が経過したら、回胴を通常回転させて、電断
状態が発生したときの遊技に復帰させる。尚、「特殊回転」としては、「Ａ：規定回転よ
りも低速での回胴の回転」、「Ｂ：規定回転よりも高速での回胴の回転」、「Ｃ：規定回
転と異なる速度を規則的または変則的に切り換える回転（速くなったり遅くなったりする
回転）」、「Ｄ：規定方向と逆方向への回胴の回転」、及び「Ａ〜Ｄを組み合わせた回転
（逆方向での低速回転等）」等が挙げられ、一部の回胴が何もしない状態（つまり、停止
したままの状態）であってもよい。また、複数の回胴で行う場合には、各回胴で異なる回
転態様を実施してもよい。
【００１０】
また、参考発明によれば、様々な種類の特殊回転の実行中に電断状態が発生しても、電
力の供給が回復したときに、復帰に係る処理が複雑化する虞がない。つまり、参考発明で
は、電断状態発生時に特殊回転の残り時間を記憶しておき、電源供給の復帰後は、残り時
間が経過するまでは通常回転も特殊回転も行わず、残り時間の経過後に通常回転を行うこ
とで、電断状態発生時に実行されていた特殊動作に関連するデータ読み込みを最小限に抑
えている。このため、復帰時に読み込むデータ量等の増加を抑え、復帰を速やかに行うこ
とができる。また、復帰後も演出時間は保持される構成なので、電断状態の発生前の遊技
の進行段階に適切に復帰できる。
【００１１】
また、参考発明では、特殊回転を通常回転に先立って行うことにより、次のような効果
を奏することができる。すなわち、特殊回転を通常回転に代えて実施する（通常回転は行
わずに特殊回転のみを行う）こととした場合には、特殊回転中に各回胴を停止させる等の
処理が必要になることから、特殊回転中に電断状態が発生したときには電源復帰時に特殊
回転している状態に確実に戻す必要がある。それに対し、参考発明では、停止関連の処理
が可能となる通常回転に先立って特殊回転を行うこととしているために、特殊回転中に電
断状態が発生しても、電源復帰時に特殊回転に完全に戻す必要性が低く、復帰時の処理を
簡素化できる。この結果、回胴を用いた演出を、電断発生まで考慮した好適な態様で多様
化できる。
【００１２】
また、上述した参考発明の回胴式遊技機においては、特殊回転中に電断状態が発生した
場合には、残りの実行時間が経過するまでの間、複数の回胴の全てを回転させずに待機さ
せることとしてもよい。
【発明の効果】
【００１３】
本発明によれば、回胴を用いた演出の多様化により演出効果を高めることが可能であり
ながら、電断状態からの復帰時には簡単に遊技を再開することが可能な回胴式遊技機を提
供できる。
【図面の簡単な説明】
【００１４】
【図１】本実施例の遊技機の外観を示す正面図である。
【図２】前面扉を開いて遊技機の内部の構成を示した斜視図である。
【図３】３つの回胴の外周面に表示された図柄の配列を示す説明図である。
【図４】本実施例の遊技機の電気的構成を示す説明図である。
【図５】本実施例の遊技機に設定されている入賞ラインを示した説明図である。
【図６】本実施例の遊技機に設定されている遊技役を、遊技役の入賞を成立させる図柄組合せ、および入賞成立によって付与される特典と対応付けて示した説明図である。
【図７】本実施例の遊技機において主制御基板が遊技の進行を制御するために行う遊技制御処理の前半部分を示すフローチャートである。
【図８】本実施例の遊技機において主制御基板が行う遊技制御処理の後半部分を示すフローチャートである。
【図９】通常遊技用抽選テーブルを概念的に示した説明図である。
【図１０】内部当選フラグの構成を例示した説明図である。
【図１１】遊技状態フラグの構成を例示した説明図である。
【図１２】遊技状態設定処理を示すフローチャートである。
【図１３】ＢＢ一般遊技用抽選テーブルを概念的に示した説明図である。
【図１４】ＲＢ遊技用抽選テーブルを概念的に示した説明図である。
【図１５】遊技制御処理の中で実行される回胴回転処理を示すフローチャートである。
【図１６】通常回転動作の回転パターンを例示した説明図である。
【図１７】通常回転動作を開始するためのステップモータの駆動方法を例示した説明図である。
【図１８】ステップモータを駆動するための８つの励磁状態を例示した説明図である。
【図１９】特殊回転動作を行うための特殊回転動作実行処理を示すフローチャートである。
【図２０】特殊回転動作態様を例示した説明図である。
【図２１】態様Ａの特殊回転動作に対応するステップモータの駆動方法を例示した説明図である。
【図２２】態様Ｂの特殊回転動作に対応するステップモータの駆動方法を例示した説明図である。
【図２３】遊技制御処理の中で実行される回胴回転停止処理を示すフローチャートである。
【図２４】回胴回転停止処理の中で実行される回胴停止制御処理を示すフローチャートである。
【図２５】第１停止テーブルを例示した説明図である。
【図２６】第１回胴として左回胴を停止する様子を例示した説明図である。
【図２７】第１停止テーブルと第２停止テーブルとの関係を概念的に示した説明図である。
【図２８】電源投入時に行われる電源投入処理を示すフローチャートである。
【図２９】第１実施例の特殊回転動作復帰処理を示すフローチャートである。
【図３０】第１実施例の特殊回転動作復帰処理で電断状態から復帰する様子を示した説明図である。
【図３１】第２実施例の特殊回転動作復帰処理を示すフローチャートである。
【発明を実施するための形態】
【００１５】
以下では、上述した本願発明の内容を明確にするために、次のような順序に従って実施
例を説明する。
Ａ．回胴式遊技機の装置構成：
Ａ−１．全体構成：
Ａ−２．電気的構成：
Ｂ．遊技の概要：
Ｃ．回胴式遊技機の制御内容：
Ｃ−１．遊技制御処理：
Ｃ−２．遊技状態設定処理：
Ｃ−３．回胴回転処理：
Ｃ−４．回胴回転停止処理：
Ｄ．電源投入処理：
Ｅ．第１実施例の特殊回転動作復帰処理：
Ｆ．第２実施例の特殊回転動作復帰処理：
【００１６】
Ａ．回胴式遊技機の装置構成  ：
Ａ−１．全体構成  ：
図１は、回胴式遊技機１（以下、「遊技機１」と略記）の外観を示す正面図である。図
１に示すように、遊技機１には、箱状に形成された筐体３と、筐体３の前面側を覆うよう
にして設けられた前面扉２などが設けられている。前面扉２は、実際に遊技が行われる中
段の領域と、遊技の進行に応じて種々の演出が行われる上段の領域２ｕと、遊技メダルが
払い出される下段の領域２ｄとの大きく３つの領域から構成され、更に中段の領域は、遊
技の状態を表示するための遊技状態表示部２ｍａと、遊技を行うための操作部２ｍｂとか
ら構成されている。
【００１７】
上段の領域２ｕには、中央に演出表示装置１０が設けられ、演出表示装置１０の左右に
はスピーカ１４が設けられ、演出表示装置１０およびスピーカ１４の上方には、各種のラ
ンプ類１２が設けられている。演出表示装置１０は、いわゆる液晶表示装置によって構成
されており、遊技の進行状況に合わせて種々の図柄を表示して演出を行うことが可能とな
っている。
【００１８】
前面扉２の中段に設けられた遊技状態表示部２ｍａの中央には、大きな表示窓２０が設
けられており、内部に設けられた３つの回胴２０ａ，２０ｂ，２０ｃが回転する様子を視
認可能となっている。また、表示窓２０の左右および下方には、遊技の状態を表示する各
種の表示パネル類２２が設けられている。
【００１９】
前面扉２の中段下方に設けられた操作部２ｍｂは、手前に向かって突出した形状に形成
されており、上面には、遊技メダルを投入するための遊技メダル投入口３０と、クレジッ
トとして貯留されている遊技メダルを、１ゲームに要する枚数だけ投入するための投入ボ
タン３４などが設けられている。尚、遊技メダルの貯留とは、遊技メダル投入口３０に投
入された遊技メダルの枚数が規定枚数（１ゲームに要する遊技メダル枚数の上限）を超え
た場合にその超えた分をデータとして記憶しておくこと、および、遊技メダルを実際に払
い出す代わりにメダルの払い出し枚数をデータとして記憶しておくことをいう。また、操
作部２ｍｂの前面には、遊技メダルの投入後に回胴２０ａ，２０ｂ，２０ｃの回転を開始
するためのスタートレバー３６と、３つの回胴２０ａ，２０ｂ，２０ｃの回転をそれぞれ
停止させるための回胴停止ボタン３８ａ，３８ｂ，３８ｃなどが設けられている。
【００２０】
加えて、操作部２ｍｂには、上面に精算ボタン４０、および前面に返却ボタン４２が設
けられている。ここで、精算ボタン４０とは、遊技機１の内部に貯留されている遊技メダ
ルを外部に払い出す際に操作するボタンである。遊技メダルの投入後も、スタートレバー
３６を操作して回胴２０ａ，２０ｂ，２０ｃの回転を開始するまでの間であれば、投入済
みの遊技メダルも精算ボタン４０を操作することによって払い出すことが可能である。ま
た、返却ボタン４２とは、投入した遊技メダルが遊技機１の内部で詰まった場合に、メダ
ルの詰まりを解消するために操作されるボタンである。
【００２１】
前面扉２の下段の領域２ｄには、遊技メダルが払い出される遊技メダル払出口５０と、
払い出された遊技メダルを受け止める受け皿５２などが設けられている。
【００２２】
図２は、前面扉２を開いて遊技機１の内部の構成を示した斜視図である。前面扉２の裏
面側上部には、演出表示装置１０が取り付けられており、その左右には一対のスピーカ１
４が取り付けられている。前面扉２のほぼ中央には表示窓２０が設けられており、その下
方には、後述する扉基板２４０が設けられている。また、扉基板２４０の下方には、回胴
停止ボタン３８ａ，３８ｂ，３８ｃや、スタートレバー３６が取り付けられている。
【００２３】
回胴停止ボタン３８ａ，３８ｂ，３８ｃの左方には、投入された遊技メダルの通路とな
るメダルセレクタ１０６が設けられており、その下方には、遊技メダルを遊技メダル払出
口５０に導くためのコインシュータ１０８などが設けられている。メダルセレクタ１０６
は、遊技メダル投入口３０から投入された遊技メダルを主に寸法に基づいて選別し、規格
寸法に適合した遊技メダルだけを受け入れる機能を有している。遊技者がスタートレバー
３６を操作する前に遊技メダルを投入すると、遊技メダルはメダルセレクタ１０６によっ
て選別され、規格を満足しているものだけがホッパー１１６内に投入され、規格を満たし
ていないメダルは、コインシュータ１０８を通って、遊技メダル払出口５０に返却される
ようになっている。これに対して、スタートレバー３６が操作された後に遊技メダルが投
入された場合は、メダルセレクタ１０６内の通路が切り換わり、投入された遊技メダルは
コインシュータ１０８を通って、遊技メダル払出口５０に返却される。また、メダルセレ
クタ１０６の内部には、図示しないメダルセンサが設けられており、寸法規格を満たして
受け入れられた遊技メダルが通過すると、メダルセンサによって検出されて、その信号が
後述する主制御基板２００に供給されるようになっている。
【００２４】
このような前面扉２が取り付けられる筐体３のほぼ中央には、３つの回胴２０ａ，２０
ｂ，２０ｃが設けられており、各回胴の外周面には、後述するように複数種類の図柄が描
かれている。これら回胴の上方には、遊技全体の制御を司る後述する主制御基板２００が
格納された主制御基板ユニット１１０が設けられており、回胴の背後には、各回胴を駆動
するための後述する回胴基板２６０が格納された回胴基板ユニット１１２が設けられてい
る。また、回胴の左方には、図１に示した演出表示装置１０や、各種ランプ類１２、スピ
ーカ１４などを用いて行われる各種演出の制御を司る後述するサブ制御基板２２０が格納
されたサブ制御基板ユニット１１１が設けられている。
【００２５】
３つの回胴２０ａ，２０ｂ，２０ｃの下方には、リアスピーカ１１４が設けられ、更に
その下方には、投入された遊技メダルが集められるホッパー１１６や、遊技メダルを払い
出すメダル払出装置１１８、遊技機１全体に電源を供給するための後述する電源基板２８
０が格納された電源ユニット１２０などが搭載されている。メダル払出装置１１８から払
い出された遊技メダルは、コインシュータ１０８を通って、遊技メダル払出口５０から払
い出されるようになっている。また、電源ユニット１２０の前面には、遊技機１の電源を
投入するための電源スイッチ１２０ｓも設けられている。
【００２６】
図３は、３つの回胴２０ａ，２０ｂ，２０ｃの外周面に描かれた図柄の配列を示す説明
図である。各回胴には、何れも２１個の図柄が外周面に描かれている。また、何れの回胴
についても、描かれている図柄の種類は同じであるが、図柄の配列については回胴毎に異
なる配列に設定されている。
【００２７】
Ａ−２．電気的構成  ：
図４は、本実施例に係る遊技機１の電気的構成を示す説明図である。図４に示すように
、遊技機１には、主制御基板２００を中心として、サブ制御基板２２０、扉基板２４０、
回胴基板２６０、電源基板２８０、中継基板３００等がデータをやり取り可能に接続され
て構成されている。
【００２８】
主制御基板２００は、遊技機１で行われる遊技全体の進行や演出を司る基板である。こ
の主制御基板２００には、ＣＰＵ２０１、ＲＯＭ２０２、ＲＡＭ２０３などがバスによっ
て互いにデータをやり取り可能に接続されて搭載されている。そして、主制御基板２００
のＣＰＵ２０１は、前面扉２に搭載された扉基板２４０から、スタートレバー３６が操作
されたことを示す信号などを受け取って、後述する遊技制御処理を実行しながら、サブ制
御基板２２０や、扉基板２４０、回胴基板２６０などに向かって制御コマンド（あるいは
制御信号）を出力することにより、これら各種基板の動作を制御している。
【００２９】
サブ制御基板２２０も、上述した主制御基板２００と同様に、ＣＰＵ２２１や、ＲＯＭ
２２２、ＲＡＭ２２３などがバスによって互いにデータをやり取り可能に接続されて構成
されている。また、サブ制御基板２２０には、各種のランプ類１２や、各種のスピーカ１
４，１１４、演出表示装置１０、回胴バックライト２０Ｌなどが接続されている。ここで
回胴バックライト２０Ｌとは、各回胴２０ａ，２０ｂ，２０ｃの内部に設けられ、回胴の
表面に描かれた図柄（図３参照）を裏側から照らすライトである。サブ制御基板２２０は
、主制御基板２００から受け取った制御コマンドを解析して、各種ランプ類１２、各種ス
ピーカ１４，１１４、演出表示装置１０、回胴バックライト２０Ｌにそれぞれ駆動信号を
出力することにより、各種の演出を行っている。
【００３０】
扉基板２４０には、メダルセレクタ１０６や、貯留されている遊技メダルを投入するた
めの投入ボタン３４、回胴の回転を開始するためのスタートレバー３６、回転している回
胴を停止させるための回胴停止ボタン３８ａ，３８ｂ，３８ｃ、貯留されている遊技メダ
ルや投入された遊技メダルを払い出して遊技を終了するための精算ボタン４０、遊技の状
態を表示する各種の表示パネル２２などが接続されている。また、この扉基板２４０は、
前述した主制御基板２００とデータをやり取り可能に接続されている。このため、前面扉
２に設けられたスタートレバー３６や、回胴停止ボタン３８ａ，３８ｂ，３８ｃ、投入ボ
タン３４、精算ボタン４０などを操作すると、扉基板２４０を介して、その信号が主制御
基板２００に供給されるようになっている。また、メダルセレクタ１０６が、内蔵するメ
ダルセンサによって遊技メダルの通過を検出した信号も、扉基板２４０を介して主制御基
板２００に供給される。
【００３１】
回胴基板２６０には、３つの回胴２０ａ，２０ｂ，２０ｃをそれぞれ回転させるための
回胴モータ２４ａ，２４ｂ，２４ｃと、それぞれの回胴の回転位置を検出するための回胴
センサ２６ａ，２６ｂ，２６ｃなどが接続されている。回胴基板２６０は、回胴センサ２
６ａ，２６ｂ，２６ｃによって、各回胴２０ａ，２０ｂ，２０ｃの回転位置を検出しなが
ら、回胴モータ２４ａ，２４ｂ，２４ｃを駆動することにより、それぞれの回胴２０ａ，
２０ｂ，２０ｃを、所望の位置で停止させることが可能となっている。また、本実施例の
遊技機１では、回胴モータ２４ａ，２４ｂ，２４ｃには、いわゆるステップモータ（ステ
ッピングモータ）が使用されている。なお、ステップモータは、回胴が１回転するステッ
プ数として、５０４ステップが設定されている。図３を用いて前述したように、各回胴に
は略均一の大きさで２１図柄が設定されており、１図柄分に相当するステップ数としては
、２４ステップ（＝２１／５０４）が設定されている。
【００３２】
また、メダル払出装置１１８は、中継基板３００を介して、主制御基板２００に接続さ
れており、主制御基板２００からの制御信号に基づいて、所定枚数の遊技メダルを払い出
す動作を行う。
【００３３】
これら各種制御基板、および基板で消費される電力は、電源基板２８０から供給されて
いる。図４では、電源基板２８０から電力が供給される様子を破線の矢印で表している。
図示されているように、主制御基板２００およびサブ制御基板２２０には、電源基板２８
０から電力が直接供給されており、各種基板（扉基板２４０、回胴基板２６０、中継基板
３００）には、主制御基板２００を介して電力が供給されている。電源基板２８０には１
００Ｖの交流電圧が供給されており、この電力を規定電圧の直流電圧に変換した後、それ
ぞれの制御基板および基板に供給している。
【００３４】
Ｂ．遊技の概要  ：
以下では、上記の構成を有する回胴式の遊技機１において、遊技を進行するために行わ
れる制御の内容について説明するが、その準備として、回胴式遊技機で行われる遊技の概
要を説明しておく。
【００３５】
遊技を開始するにあたっては、遊技メダル投入口３０から遊技メダルを投入して、遊技
を開始するに必要な枚数（規定枚数）の遊技メダルのベットを行う。本実施例の遊技機１
では、規定枚数は「３枚」に固定されており、３枚の遊技メダルをベットすると、スター
トレバー３６の操作が有効化される。また、遊技メダルがクレジットとして予め内部に貯
留されている場合は、投入ボタン３４を押すことによって規定枚数の遊技メダルをベット
することも可能である。
【００３６】
規定枚数の遊技メダルをベットして、スタートレバー３６を操作すると、３つの回胴２
０ａ，２０ｂ，２０ｃが回転を開始する。図３を用いて前述したように、各回胴には複数
の図柄が描かれているため、回胴が回転すると、表示窓２０では、これら図柄が変動表示
されることになる。また、図１を用いて前述したように、前面扉２の前面側には、各回胴
に対応して３つの回胴停止ボタン３８ａ，３８ｂ，３８ｃが設けられている。回胴２０ａ
，２０ｂ，２０ｃの回転中に回胴停止ボタン３８ａ，３８ｂ，３８ｃを押すと、押したボ
タンに対応する回胴が回転を停止し、これに伴って、表示窓２０では、変動表示されてい
た図柄が何れかの図柄で停止表示される。このようにして、３つの回胴２０ａ，２０ｂ，
２０ｃの回転を停止させると、それぞれの回胴で何れかの図柄が停止表示される。本実施
例の遊技機１では、表示窓２０の大きさは、各回胴あたり３つずつ、図柄が表示されるよ
うな大きさに設定されている。結局、３つの回胴２０ａ，２０ｂ，２０ｃが停止表示され
ると、表示窓２０には、３行３列の合計９つの図柄が表示されるようになる。また、これ
ら９つの図柄が表示される位置には、複数本の入賞ラインが予め設定されている。
【００３７】
図５は、本実施例の遊技機１に設定されている入賞ラインを示した説明図である。図示
されているように、本実施例の遊技機１では、上段の入賞ラインＬ１と、中段の入賞ライ
ンＬ２と、下段の入賞ラインＬ３と、右斜め上方向きの入賞ラインＬ４と、右斜め下方向
きの入賞ラインＬ５の合計５本の入賞ラインが設定されている。３つの回胴２０ａ，２０
ｂ，２０ｃが停止すると、これらの入賞ライン上には、何某かの図柄組合せが得られるこ
とになる。そして、入賞ライン上に揃った図柄組合せが、何れかの遊技役に対応する図柄
組合せであった場合には、その遊技役の入賞が成立し、遊技役に応じた特典が遊技者に付
与される。
【００３８】
図６は、本実施例の遊技機１に設定されている遊技役の種類を、その遊技役の入賞を成
立させる図柄組合せ、および遊技役の入賞が成立したときに遊技者に付与される特典と対
応付けて示した説明図である。図６では、左端の欄に遊技役の種類が表示され、中央の欄
には遊技役の入賞を成立させる図柄組合せが表示され、右端の欄には遊技役の入賞が成立
したときに遊技者に付与される特典が表示されている。例えば、最上段に示したビッグボ
ーナス役（以下、ＢＢ役）と呼ばれる遊技役には、「赤セブン」と呼ばれる図柄の揃った
図柄組合せ、あるいは「青セブン」と呼ばれる図柄の揃った図柄組合せが対応付けられて
おり、何れかの図柄組合せで揃うと、特典として、遊技者にとって大変有利なビッグボー
ナス遊技（ＢＢ遊技）と呼ばれる遊技状態が開始される。尚、本実施例の遊技機１では、
「赤セブン」の図柄で入賞が成立したＢＢ役を「赤７のＢＢ役」と呼び、「青セブン」の
図柄で入賞が成立したＢＢ役を「青７のＢＢ役」と呼んで区別する。
【００３９】
本実施例のＢＢ遊技は、ＢＢ一般遊技とレギュラーボーナス遊技（ＲＢ遊技）とによっ
て構成されている。ここで、ＢＢ一般遊技とは、通常遊技では入賞が成立することのない
レギュラーボーナス役（以下、ＲＢ役）と呼ばれる遊技役の入賞が成立し易い遊技状態で
あり、ＢＢ一般遊技でＲＢ役の入賞が成立すると、ＢＢ遊技の中でＲＢ遊技が開始される
。また、ＲＢ遊技とは、特典として遊技メダルが払い出される遊技役の種類が通常遊技に
比べて増加し、その増加した遊技役（増加役）の入賞が高い確率で成立する遊技状態であ
り、ＲＢ遊技の開始後に所定回数だけ遊技役の入賞（例えば、８回入賞）が成立するか、
あるいは所定回数の遊技（例えば、１２ゲーム）が行われると、ＢＢ一般遊技へと復帰す
る。こうしてＢＢ一般遊技とＲＢ遊技とが繰り返されるＢＢ遊技は、所定枚数（例えば、
４００枚）の遊技メダルが払い出されるまで継続される。そのため、ＢＢ遊技が開始され
ると、遊技者は多量の遊技メダルを獲得することができる。
【００４０】
また、いわゆる「小役」と呼ばれる遊技役も設けられている。先ず、ベルの小役という
遊技役には、３つの回胴２０ａ，２０ｂ，２０ｃが何れも「ベル」の図柄で揃った図柄組
合せが設定されており、このベルの小役の入賞成立に対する特典としては、１５枚の遊技
メダルが遊技者に払い出されるように設定されている。次いで、スイカの小役という遊技
役には、３つの回胴２０ａ，２０ｂ，２０ｃが何れも「スイカ」の図柄で揃った図柄組合
せが設定されており、スイカの小役に対しては、１０枚の遊技メダルが遊技者に払い出さ
れる。そして、チェリーの小役という遊技役には、左回胴２０ａの図柄が「チェリー」の
図柄であれば、中回胴２０ｂおよび右回胴２０ｃの図柄はどのような図柄であっても構わ
ない図柄組合せが設定されており、チェリーの小役に対しては、２枚の遊技メダルが払い
出される。
【００４１】
また、本実施例の遊技機１には、「再遊技役」という遊技役が設けられており、再遊技
役には、３つの回胴２０ａ，２０ｂ，２０ｃが何れも「リプレイ」の図柄で揃った図柄組
合せが設定されている。そして、再遊技役の入賞成立に対する特典としては、新たな遊技
メダルをベットすることなく、もう一度、遊技を行う権利が付与される。すなわち、再遊
技役の入賞成立時にベットしていた遊技メダルと同じ枚数だけ、遊技メダルがベットされ
たものとして、もう一度遊技を行うことが可能となる。
【００４２】
また、ＲＢ遊技が開始されると高い確率で入賞が成立するようになる増加役には、左回
胴２０ａおよび右回胴２０ｃの図柄が「リプレイ」であり、中回胴２０ｂの図柄が「ベル
」である図柄組合せが設定されており、増加役の入賞が成立すると、特典として、１５枚
の遊技メダルが遊技者に払い出されるように設定されている。
【００４３】
もちろん、回胴２０ａ，２０ｂ，２０ｃが停止したときに、何れかの遊技役の入賞が成
立するとは限らない。この場合は、再び規定枚数の遊技メダルをベットした後、スタート
レバー３６を操作して回胴を回転させることによって、次のゲームを行う。本実施例の遊
技機１では、こうした操作を繰り返し行うことによってゲームが進行するようになってい
る。こうした遊技の進行は、主制御基板２００に搭載されたＣＰＵ２０１によって制御さ
れている。以下では、主制御基板２００のＣＰＵ２０１が遊技の進行を制御するために行
っている処理内容について説明する。
【００４４】
Ｃ．回胴式遊技機の制御内容  ：
Ｃ−１．遊技制御処理  ：
図７は、本実施例の遊技機１において主制御基板２００のＣＰＵ２０１が遊技の進行を
制御するために行う遊技制御処理の前半部分を示すフローチャートである。また、図８は
、本実施例の遊技機１において主制御基板２００のＣＰＵ２０１が行う遊技制御処理の後
半部分を示すフローチャートである。この遊技制御処理は、遊技機１に電源が投入されて
、後述する電源投入処理が行われた後に実行される処理である。
【００４５】
図７に示すように、遊技制御処理を開始すると、先ず始めに遊技状態設定処理（ステッ
プ１００。以下、ステップを「Ｓ」と略記する）を行う。遊技状態設定処理の詳細につい
ては後述するが、この処理では、大まかには次のような処理を行う。前述したように、本
実施例の遊技機１では、ビッグボーナス遊技（ＢＢ遊技）や、ＢＢ遊技の中で実行される
レギュラーボーナス遊技（ＲＢ遊技）などの遊技状態が設けられており、遊技状態に応じ
て遊技役の入賞の成立し易さや、入賞の成立し得る遊技役の種類等が異なっている。遊技
状態設定処理では、現在の遊技状態が何れであるかを検出するとともに終了条件が満たさ
れたか否かを判断し、終了条件が満たされた場合には、その遊技状態を終了させて、遊技
状態を切り換える処理を行う。こうして遊技状態を切り換えることで、遊技が単調になる
ことを回避することが可能となる。
【００４６】
遊技状態設定処理に続いて、主制御基板２００のＣＰＵ２０１は、メダル投入確認処理
を行う（Ｓ１０２）。メダル投入確認処理では、遊技メダル投入口３０から遊技メダルが
投入されたか否か、あるいは遊技メダルがクレジットとして貯留されている場合に、投入
ボタン３４が操作されたか否かを確認する。前述したように、投入された遊技メダルは、
メダルセレクタ１０６に内蔵されたメダルセンサによって検出され、その検出信号が主制
御基板２００に供給される。また、投入ボタン３４を操作した場合には、その操作信号が
主制御基板２００に供給される。主制御基板２００のＣＰＵ２０１は、これらの信号に基
づいて、遊技メダルが投入されたか否かを判断することができる。そして、規定枚数の遊
技メダルが投入されたら、遊技を開始可能な状態になる。尚、投入ボタン３４が操作され
た場合には、遊技メダルの貯留枚数から投入枚数を減算する処理も同時に行われる。
【００４７】
上述のようにして遊技メダルの投入が確認できたら、スタートレバー３６を操作するこ
とによって何時でも遊技を開始することが可能となるが、その前に、精算ボタン４０が操
作されたか否かの確認を行う（Ｓ１０４）。すなわち、遊技メダルをベットした後であっ
ても、スタートレバー３６を操作して回胴２０ａ，２０ｂ，２０ｃを回転させる前であれ
ば、ベットした遊技メダルも含めてメダルを精算することが可能となっている。そして、
精算ボタン４０が操作されていた場合には（Ｓ１０４：ｙｅｓ）、精算処理を行うことに
より、クレジットとして貯留されている遊技メダルおよび投入した遊技メダルを払い出す
処理を行う（Ｓ１０６）。遊技メダルの払い出しは、主制御基板２００からメダル払出装
置１１８に向けて、払い出すべき遊技メダルの枚数を指示する制御信号を出力することに
よって行われる。こうして遊技メダルを払い出したら、遊技の開始前の状態（Ｓ１００）
に戻って、以降の処理を行う。
【００４８】
一方、精算ボタン４０が操作されていない場合には（Ｓ１０４：ｎｏ）、スタートレバ
ー３６が操作されたか否かを判断する（Ｓ１０８）。前述したように遊技者がスタートレ
バー３６を操作すると、その操作信号が主制御基板２００に供給されるので、主制御基板
２００は、スタートレバー３６の操作信号に基づいて、スタートレバー３６が操作された
か否かを判断することができる。そして、スタートレバー３６が操作されていない場合は
（Ｓ１０８：ｎｏ）、遊技者が未だ遊技を開始していないものと判断されるので、精算ボ
タン４０の操作の有無を確認しながら（Ｓ１０４）、スタートレバー３６が操作されるま
で待機する。一方、スタートレバー３６が操作されたら（Ｓ１０８：ｙｅｓ）、内部抽選
処理を開始する（Ｓ１１０）。
【００４９】
内部抽選処理では、図６を用いて前述した遊技役の何れかの入賞成立を許容するか否か
を、抽選によって決定する処理を行う。尚、この抽選で何れかの遊技役に当選した（入賞
成立が許容された）としても、直ちに遊技役の入賞が成立するわけではなく、回胴停止ボ
タン３８ａ，３８ｂ，３８ｃを操作することにより、当選した遊技役に対応する図柄組合
せを有効な入賞ライン上に揃えなければ遊技役の入賞を成立させることはできない。また
逆に、抽選で当選した遊技役でなければ、どのようなタイミングで回胴停止ボタン３８ａ
，３８ｂ，３８ｃを操作したとしても、有効な入賞ライン上に対応する図柄組合せを揃え
ることはできないようになっている。その意味で、この抽選は、図柄組合せを揃えて遊技
役の入賞を成立させるための前提条件として、内部的に行われる抽選であることから「内
部抽選」と呼ばれている。また、内部抽選に当選した状態は、内部当選状態（あるいは単
に、内部当選）と呼ばれている。
【００５０】
この内部抽選は、抽選テーブルと呼ばれる専用のテーブルを用いて行われており、この
テーブルには、遊技役と内部抽選用乱数との対応関係が設定されている。ここで内部抽選
用乱数とは、主制御基板２００のＣＰＵ２０１がスタートレバー３６の操作信号を受け取
ったときに取得する乱数である。本実施例の遊技機１では、内部抽選用乱数は２バイトデ
ータとなっており、０〜６５５３５の範囲の乱数値を取ることが可能である。尚、この抽
選用の乱数は、主制御基板２００に搭載された専用の乱数発生回路を用いてハードウェア
的に生成することもできるし、乱数発生用のプログラムを用いてソフトウェア的に生成す
ることも可能である。
【００５１】
図９は、最も一般的な遊技状態である通常遊技中に用いられる抽選テーブルを概念的に
示した説明図である。図９（ａ）には、各遊技役に対して割り当てられた乱数の範囲がま
とめて示されている。また、図９（ｂ）には、各遊技役に割り当てられた乱数範囲の大ま
かな比率が示されている。図示されているように、通常遊技用の抽選テーブルでは、「ベ
ルの小役」に対しては０〜７０００の乱数値が設定されている。これは、取得した乱数値
がこの範囲にあった場合には、ベルの小役に内部当選することを表している。同様に、「
スイカの小役」に対しては７００１〜７２００の乱数値が設定され、「チェリーの小役」
には７２０１〜７３００の乱数値が設定されている。また、「赤７のＢＢ役」に対しては
７３０１〜７４００の乱数値が設定され、「青７のＢＢ役」には７４０１〜７５００の乱
数値が設定されている。さらに、「再遊技役Ａに対しては７５０１〜２００００の乱数値
が設定されている。尚、２０００１〜６５５３５の乱数値には、何れの遊技役も設定され
ておらず、従って、取得した乱数値がこの範囲にあった場合は「ハズレ」となる。
【００５２】
内部抽選処理では、以上のようにして、スタートレバー３６が操作されたことを検出し
て内部抽選用乱数を取得するとともに、抽選テーブルを参照することにより、何れの遊技
役に内部当選したか、若しくは何れの遊技役にも内部当選しなかったかを判断する。そし
て、何れかの遊技役に内部当選したら、当選した遊技役を内部当選フラグにセットする。
ここで内部当選フラグとは、内部抽選の結果を記憶しておくために用いられるフラグであ
り、主制御基板２００に搭載されたＲＡＭ２０３の所定アドレスに設定されている。
【００５３】
図１０は、本実施例の遊技機１における内部当選フラグの構成を例示した説明図である
。図示されているように、本実施例の遊技機１では、小役、再遊技役、増加役についての
内部当選フラグ（小役等内部当選フラグ）と、ＢＢ役およびＲＢ役についての内部当選フ
ラグ（ボーナス役内部当選フラグ）とに分けて記憶されており、それぞれに１バイト（８
ビット）分の領域が確保されている。図１０（ａ）は、小役等内部当選フラグが設定され
る１バイト分の領域のデータ構造を例示した説明図である。図示されているように、１バ
イトデータのうち下位側の５ビット分が小役等内部当選フラグとして用いられている。こ
れら５ビット中の先頭のビットは、ベルの小役に内部当選したことを記憶しておくための
ビットであり、次のビットはスイカの小役に内部当選したことを記憶しておくためのビッ
トである。以下の３つのビットも同様に、それぞれ、チェリーの小役、再遊技役、増加役
に内部当選したことを記憶しておくために用いられるビットである。
【００５４】
また、図１０（ｂ）は、ボーナス役内部当選フラグが設定される１バイト分の領域のデ
ータ構造を例示した説明図である。図示されているように、１バイトデータのうち下位側
の３ビット分がボーナス役内部当選フラグとして用いられている。これら３ビット中の先
頭のビットは、赤７のＢＢ役に内部当選したことを記憶しておくためのビットであり、次
のビットは青７のＢＢ役に内部当選したことを記憶しておくためのビットである。更にそ
の下位のビットは、ＲＢ役に内部当選したことを記憶しておくためのビットである。図７
に示した内部抽選処理（Ｓ１１０）では、内部抽選用乱数を取得して、抽選テーブルを参
照しながら、何れかの遊技役に内部当選しているか否かを判断し、何れかの遊技役に内部
当選していれば、図１０に示した内部当選フラグの対応するビットに「１」を設定する処
理を行う。尚、図１０（ｂ）に示されるように、ボーナス役内部当選フラグが設定される
１バイトの最上位ビットは、後述する特殊回転フラグとして用いられている。詳細には後
述するが、特殊回転フラグの対応するビットに「１」が設定されると（特殊回転フラグが
ＯＮになると）、３つの回胴２０ａ，２０ｂ，２０ｃが、通常とは異なる特殊な態様で回
転するようになっている。
【００５５】
内部抽選処理を終了すると、主制御基板２００のＣＰＵ２０１は、その内部抽選処理で
ＢＢ役に内部当選したか否かを判断する（Ｓ１１２）。そしてＢＢ役に内部当選していた
場合は（Ｓ１１２：ｙｅｓ）、図１０（ｂ）を用いて前述した特殊回転フラグをＯＮに設
定する（ＳＳ１１４）。これに対して、ＢＢ役に内部当選していない場合は（Ｓ１１２：
ｎｏ）、特殊回転フラグをＯＮに設定する処理は行わない。
【００５６】
続いて、主制御基板２００のＣＰＵ２０１は、回胴回転処理を開始する（図７のＳ１１
６）。回胴回転処理では、所定の条件が満足されているか否かを判断して、条件が満たさ
れている場合は、３つの回胴２０ａ，２０ｂ，２０ｃを回転させる処理を行う。回胴回転
処理では、スタートレバー３６が操作され、且つ、前回に回胴２０ａ，２０ｂ，２０ｃの
回転が開始されてから所定時間（例えば、４．１秒）を経過した場合に回胴の回転を開始
することとして、各回胴２０ａ，２０ｂ，２０ｃにそれぞれ設けられた回胴モータ２４ａ
，２４ｂ，２４ｃに対して駆動信号を出力することにより、３つの回胴２０ａ，２０ｂ，
２０ｃを、規定の回転方向に、規定の回転速度で回転させる。また、図１０（ｂ）に示し
た特殊回転フラグがＯＮに設定されると、規定の回転方向あるいは規定の回転速度とは異
なる特殊な態様で、各回胴２０ａ，２０ｂ，２０ｃを回転するようになっている。各回胴
２０ａ，２０ｂ，２０ｃを回転させる態様については、後ほど詳しく説明する。尚、回胴
を特殊な態様で回転させる際の回転速度には、速度＝０、すなわち、回転していない状態
も含まれる。その意味からは、回胴を「特殊な態様で回転させる」という表現よりも、「
特殊な態様で動作させる」という表現の方が、より正確な表現と言うことができる。しか
し分かり易さの観点から、本明細書中では、回胴を「特殊な態様で回転させる」あるいは
「特殊な対応で回転動作させる」と表現することにする。
【００５７】
こうして３つの回胴２０ａ，２０ｂ，２０ｃを回転させたら、主制御基板２００のＣＰ
Ｕ２０１は、回胴の回転を停止させる処理（回胴回転停止処理）を行う（Ｓ１１８）。回
胴回転停止処理の詳細については後述するが、この処理では、先に行われた内部抽選の結
果（何れの遊技役に内部当選したか否か）や、遊技者によって回胴停止ボタン３８ａ，３
８ｂ，３８ｃが操作されたタイミング、あるいは現在の遊技状態などに基づいて、３つの
回胴２０ａ，２０ｂ，２０ｃのそれぞれの停止位置を決定し、決定した位置で停止させる
処理を行う。
【００５８】
３つの回胴２０ａ，２０ｂ，２０ｃを停止させたら、遊技回数計数処理を行う（Ｓ１２
０）。前述したように、本実施例のＢＢ遊技の中で開始されるＲＢ遊技は、所定回数の遊
技（例えば、１２ゲーム）が行われると終了するように設定されている。そこで、遊技回
数計数処理では、先ず、現在の遊技状態がＲＢ遊技か否かの判断を行う。そして、ＲＢ遊
技中であると判断された場合には、３つの回胴２０ａ，２０ｂ，２０ｃを停止させたこと
によって遊技が１回消化されたことになるので、現在の遊技状態で行った遊技回数に「１
」を加算する処理を行う。一方、ＲＢ遊技中ではないと判断された場合には、遊技回数の
加算処理を行うことなく、そのまま遊技回数計数処理を終了する。
【００５９】
主制御基板２００のＣＰＵ２０１は、遊技回数計数処理に続いて、何れかの遊技役の入
賞が成立したか否かを判断する（Ｓ１２２）。ここで、「遊技役の入賞が成立する」とは
、遊技役に対応する図柄組合せが、入賞ライン上に揃って停止表示されることをいう。前
述したように、本実施例の遊技機１では、内部抽選処理（Ｓ１１０）で何れかの遊技役に
内部当選していても、回胴停止ボタン３８ａ，３８ｂ，３８ｃを押すタイミングによって
は、その遊技役に対応する図柄組合せが入賞ライン上に揃うとは限らない。そこで、主制
御基板２００は、回胴の回転を停止させた後、内部抽選で当選した遊技役の入賞が成立し
ているか否かを判断する。
【００６０】
そして、何れの遊技役の入賞も成立していないと判断された場合は（Ｓ１２２：ｎｏ）
、その遊技は終了となり、図７の遊技制御処理の先頭に戻って、遊技状態設定処理が行わ
れる（Ｓ１００）。尚、本実施例の遊技機１では、前述した内部抽選処理（Ｓ１１０）で
ビッグボーナス役（ＢＢ役）に当選した場合において、入賞ライン上に対応する図柄組合
せが停止表示されず、ＢＢ役の入賞が成立しなかったときに限り、ＢＢ役の内部当選が持
ち越され、次回の遊技以降もＢＢ役に対応する内部当選フラグがセットされている状態で
遊技が行われる。これに対して、小役や再遊技役等の他の遊技役に内部当選した場合は、
当選した遊技役に対応する図柄組合せを入賞ライン上に停止表示させることができなけれ
ば、その内部当選は次遊技以降に持ち越されることなくリセットされてしまう。
【００６１】
一方、何れかの遊技役の入賞が成立したと判断された場合は（Ｓ１２２：ｙｅｓ）、先
ず始めに、入賞の成立した遊技役が、ＢＢ役であるか否かを判断する（図８のＳ１２４）
。図６を用いて前述したように、ＢＢ役は、入賞ライン上に「赤セブン」の図柄が揃うか
、「青セブン」の図柄が揃った場合に入賞が成立する遊技役である。そして、ＢＢ役の入
賞が成立したと判断された場合は（Ｓ１２４：ｙｅｓ）、入賞の成立したＢＢ役の種類（
「赤７のＢＢ役」あるいは「青７のＢＢ役」の何れであるか）に応じてＢＢ遊技フラグを
ＯＮに設定するとともに、他の遊技状態フラグを全てＯＦＦに設定する（Ｓ１２６）。こ
こで、ＢＢ遊技フラグとは、遊技状態を、前述したビッグボーナス遊技（ＢＢ遊技）と呼
ばれる遊技者にとって有利な遊技状態とすることを示すフラグであり、現在の遊技状態を
表すための「遊技状態フラグ」と呼ばれる専用のフラグの一種である。詳しくは後述する
が、本実施例の遊技機１には、ＢＢ遊技、ＲＢ遊技といった遊技状態のそれぞれに対応す
る遊技状態フラグが設けられており、これら遊技状態フラグの設定（ＯＮ／ＯＦＦ）に応
じて遊技状態を切り換えながら遊技が進行していく。こうした遊技状態フラグは、主制御
基板２００に搭載されたＲＡＭ２０３の所定アドレスに設定されている。
【００６２】
図１１は、遊技状態フラグが設定される１バイト分の領域のデータ構造を例示した説明
図である。本実施例の遊技機１では、ＲＡＭ２０３上の所定アドレスの１バイトデータの
うち、下位側の４ビット分が遊技状態フラグとして用いられている。これら４ビットの先
頭のビットが「赤７のＢＢ役」に対応するＢＢ遊技フラグ（以下、赤７のＢＢ遊技フラグ
）に設定されており、その次のビットが「青７のＢＢ役」に対応するＢＢ遊技フラグ（以
下、青７のＢＢ遊技フラグ）に設定されている。Ｓ１２６では、入賞の成立したＢＢ役の
種類に応じて、何れかのビットに「１」を設定する。また、本実施例の遊技機１では、Ｂ
Ｂ役の入賞が成立すると、何れの遊技状態であってもＢＢ遊技へと切り換えるようになっ
ている。そこで、ＢＢ遊技フラグをＯＮに設定したら、ＢＢ遊技フラグ以外の遊技状態フ
ラグをＯＦＦに設定する（すなわち、ＢＢ遊技フラグを除く全ての遊技状態フラグのビッ
トに「０」を設定する）。こうしてＢＢ遊技フラグがＯＮにセットされた状態で遊技制御
処理の先頭に戻って遊技状態設定処理（Ｓ１００）を開始すると、ＢＢ遊技フラグがＯＮ
になっていることが検出され、遊技状態がＢＢ遊技に切り換わって、上述した一連の処理
が行われる。Ｓ１００において、ＢＢ遊技フラグに基づいて遊技状態をＢＢ遊技に切り換
える処理の詳細については後述する。
【００６３】
以上では、入賞の成立した遊技役がＢＢ役であった場合（図８のＳ１２４：ｙｅｓ）に
行われる処理について説明したが、入賞の成立した遊技役がＢＢ役ではなかった場合には
（Ｓ１２４：ｎｏ）、次いで、入賞成立した遊技役がＲＢ役か否かを判断する（Ｓ１２８
）。図６を用いて前述したように、ＲＢ役は、入賞ライン上に「バー」の図柄が揃った場
合に入賞が成立する遊技役である。そして、ＲＢ役の入賞が成立したと判断された場合に
は（Ｓ１２８：ｙｅｓ）、ＲＢ遊技フラグをＯＮに設定する（Ｓ１３０）。ここで、ＲＢ
遊技フラグとは、遊技状態を、前述したレギュラーボーナス遊技（ＲＢ遊技）とすること
を示す遊技状態フラグである。図１１に示した遊技状態フラグに用いられる４ビットのう
ち、先頭から３番目のビットがＲＢ遊技フラグに設定されており、ＲＢ遊技フラグをＯＮ
にする場合には、このビットに「１」を設定する。尚、本実施例の遊技機１では、ＢＢ遊
技の中でＲＢ遊技が行われることから、ＲＢ遊技がＯＮに設定されても、ＢＢ遊技フラグ
はＯＮに設定されたままとなっている。そしてＲＢ遊技フラグ（およびＢＢ遊技フラグ）
がＯＮにセットされた状態で遊技制御処理の先頭に戻って遊技状態設定処理（Ｓ１００）
を開始すると、ＲＢ遊技フラグ（およびＢＢ遊技フラグ）がＯＮになっていることが検出
されて、ＲＢ遊技が開始される。
【００６４】
これに対して、入賞の成立した遊技役がＲＢ役ではなかった場合には（Ｓ１２８：ｎｏ
）、今度は、入賞の成立した遊技役が再遊技役か否かを判断する（Ｓ１３２）。そして、
再遊技役の入賞が成立していた場合は（Ｓ１３２：ｙｅｓ）、再遊技フラグをＯＮに設定
する（Ｓ１３４）。ここで、再遊技フラグとは、再遊技役の入賞が成立したことを記憶し
ておくためのフラグである。この再遊技フラグがＯＮにセットされていると、次回の遊技
のメダル投入確認処理（図７のＳ１０２）において、遊技者によって投入されなくても自
動的に遊技メダルが再投入される。また、メダル投入確認処理が遊技メダルを自動的に再
投入した後は、再遊技フラグの設定はＯＦＦに戻される。このような再遊技フラグも、前
述した遊技状態フラグと同様に、主制御基板２００に搭載されたＲＡＭ２０３の所定アド
レスに設定されている。本実施例の遊技機１では、図１１に示したように、遊技状態を示
す４ビット分のビットデータの中で最下位のビットが再遊技フラグに設定されている。
【００６５】
一方、入賞の成立した遊技役が再遊技役ではなかった場合は（Ｓ１３２：ｎｏ）、何か
の遊技役の入賞が成立しているものの（図７のＳ１２２：ｙｅｓ）、その遊技役は、ＢＢ
役、ＲＢ役、再遊技役の何れでもないことから、小役または増加役であると判断される。
そこで、入賞の成立した遊技役に応じた枚数の遊技メダルを払い出す処理を行う（Ｓ１３
６）。すなわち、入賞の成立した小役がベルの小役であれば、１５枚の遊技メダルを払い
出し、スイカの小役であれば１０枚の遊技メダルを払い出し、チェリーの小役であれば２
枚の遊技メダルを払い出す処理を行う。また、増加役の入賞が成立した場合には、１５枚
の遊技メダルを払い出す処理を行う。この処理は、主制御基板２００の内部で払い出すべ
き遊技メダルの枚数を求めた後、主制御基板２００からメダル払出装置１１８に対して制
御信号を出力することによって行われる。
【００６６】
こうして遊技メダルを払い出すと、主制御基板２００のＣＰＵ２０１は、払出枚数計数
処理を行う（Ｓ１３８）。前述したように、本実施例のＢＢ遊技は、上限枚数（例えば、
４００枚）の遊技メダルが払い出されると終了するように設定されていることから、ＢＢ
遊技の開始後に払い出された遊技メダルの枚数（払出枚数）を計数しておく必要がある。
そこで、払出枚数計数処理では、先ず、現在の遊技状態がＢＢ遊技であるか否かを判断し
て、ＢＢ遊技中であると判断された場合には、Ｓ１３６の処理で払い出した遊技メダルの
枚数を、既に払い出した枚数（払出枚数）に加算する処理を行う。一方、ＢＢ遊技中では
ないと判断された場合には、払出枚数を加算する処理を行うことなく、そのまま払出枚数
計数処理を終了する。
【００６７】
払出枚数計数処理に続いて、主制御基板２００のＣＰＵ２０１は、入賞回数計数処理を
行う（Ｓ１４０）。前述したように、ＢＢ遊技の中で行われるＲＢ遊技は、所定回数だけ
遊技役の入賞（例えば、８回入賞）が成立するとＢＢ一般遊技に復帰するようになってい
る。後述のように本実施例のＲＢ遊技中は、ＢＢ役やＲＢ役の入賞が成立しないように設
定されており、また、再遊技役の入賞成立は回数に含めないことになっていることから、
ＲＢ遊技中に遊技メダルの払い出しが行われた回数を計数することによって、遊技役（小
役または増加役）の入賞が成立した回数（入賞回数）を計数することができる。そこで、
入賞回数計数処理では、現在の遊技状態がＲＢ遊技であるか否かを判断し、ＲＢ遊技中で
あると判断された場合は、ＲＢ遊技中の入賞回数に「１」を加算する処理を行う。一方、
ＲＢ遊技中ではないと判断された場合には、入賞回数の加算処理を行うことなく、そのま
ま入賞回数計数処理を終了する。こうして入賞回数計数処理を行ったら、図７および図８
に示した遊技制御処理の先頭に戻って、新たな遊技を開始する。
【００６８】
Ｃ−２．遊技状態設定処理  ：
図１２は、本実施例の遊技機１が行う遊技状態設定処理を示すフローチャートである。
遊技状態設定処理を開始すると、先ず始めに主制御基板２００のＣＰＵ２０１は、図１１
に示した遊技状態フラグを参照して、ＢＢ遊技フラグ（赤７のＢＢ遊技フラグ、青７のＢ
Ｂ遊技フラグの何れか）がＯＮに設定されているか否かを判断する（Ｓ２００）。前述し
たように、ＢＢ遊技フラグは、遊技状態をＢＢ遊技とすることを示す遊技状態フラグであ
り、ＢＢ役（赤７のＢＢ役、青７のＢＢ役の何れか）の入賞が成立したと判断された場合
に（図８のＳ１２４：ｙｅｓ参照）、入賞の成立したＢＢ役の種類に応じて赤７のＢＢ遊
技フラグあるいは青７のＢＢ遊技フラグの何れかがＯＮの状態に設定される（Ｓ１２６参
照）。
【００６９】
何れかのＢＢ遊技フラグがＯＮに設定されていると判断された場合は（Ｓ２００：ｙｅ
ｓ）、ＢＢ遊技の終了条件が満たされているか否かを判断する（Ｓ２０２）。本実施例で
は、ＢＢ遊技の終了条件として、ＢＢ遊技の開始後に払い出した遊技メダルの枚数が設定
されており、払い出した遊技メダルの枚数が所定枚数（例えば、４００枚）に達するとＢ
Ｂ遊技が終了するように設定されている。図７および図８を用いて前述した遊技制御処理
では、払い出した遊技メダルの枚数を計数しており（図８のＳ１３８）、従って、ＢＢ遊
技開始後に払い出した遊技メダルの枚数が所定枚数に達すると、そのことを直ちに検出す
ることができる。そして、所定枚数の遊技メダルを払い出した場合は、ＢＢ遊技の終了条
件が成立したと判断して（Ｓ２０２：ｙｅｓ）、ＢＢ遊技フラグおよびＲＢ遊技フラグを
ＯＦＦに設定する（Ｓ２０４）。図１１を用いて前述したように、ＢＢ遊技フラグは、遊
技状態がＢＢ遊技である場合にＯＮに設定されるフラグである。また、ＲＢ遊技フラグは
、ＢＢ遊技中にＲＢ遊技が発生した場合にＯＮに設定されるフラグである。Ｓ２０４では
、ＢＢ遊技の終了条件が成立したことに伴って、ＢＢ遊技を終了させるべくＢＢ遊技フラ
グをＯＦＦに設定するとともに、そのＢＢ遊技中にＲＢ遊技が行われていた場合を考慮し
て、念のためにＲＢ遊技フラグもＯＦＦに設定している。
【００７０】
一方、ＢＢ遊技の終了条件が満たされていないと判断された場合は（Ｓ２０２：ｎｏ）
、ＲＢ遊技フラグがＯＮに設定されているか否かを判断する（Ｓ２０６）。前述した遊技
制御処理で説明したように、ＲＢ遊技フラグは、ＢＢ遊技中にＲＢ役の入賞が成立すると
（図８のＳ１２８：ｙｅｓ）、ＯＮに設定されるフラグである（Ｓ１３０）。判断の結果
、ＲＢ遊技フラグがＯＮに設定されていない場合は（Ｓ２０６：ｎｏ）、ＢＢ一般遊技用
抽選テーブルを選択する（Ｓ２１２）。前述したように、本実施例のＢＢ遊技は、ＢＢ一
般遊技とＲＢ遊技とによって構成されており、ＲＢ遊技フラグがＯＮに設定されていない
ことから、現在の遊技状態はＢＢ一般遊技であると判断して、ＢＢ一般遊技用の抽選テー
ブルを選択するのである。
【００７１】
図１３は、ＢＢ一般遊技用に用いられる抽選テーブルを概念的に示した説明図である。
図１３（ａ）には、各遊技役に対して割り当てられた乱数の範囲が示されており、図１３
（ｂ）には、各遊技役に割り当てられた乱数範囲の大まかな比率が示されている。図１３
に示したＢＢ一般遊技用抽選テーブルも、図９を用いて前述した通常遊技用抽選テーブル
とほぼ同様であるが、通常遊技用抽選テーブルに対して、ＢＢ一般遊技用抽選テーブルに
は、「赤７のＢＢ役」、「青７のＢＢ役」、「再遊技役」の遊技役が設定されておらず、
それら遊技役の乱数範囲に「ＲＢ役」が設定された抽選テーブルとなっている。従って、
ＢＢ一般遊技では、比較的高い確率でＲＢ役に内部当選することになり、そしてＲＢ役に
対応する図柄組合せ（図６参照）が揃うと、ＲＢ役の入賞が成立したと判断されて（図８
のＳ１２８：ｙｅｓ）、ＲＢ遊技フラグがＯＮに設定される（Ｓ１３０）。その結果、次
回に行われる遊技状態設定処理のＳ２０６の判断では、ＲＢ遊技フラグがＯＮに設定され
ている（Ｓ２０６：ｙｅｓ）と判断されることになる。
【００７２】
こうして、ＲＢ遊技フラグがＯＮに設定されていることが確認されると（Ｓ２０６：ｙ
ｅｓ）、ＲＢ遊技の終了条件が満たされたか否かを判断した後（Ｓ２０８）、ＲＢ遊技の
終了条件が満たされていない場合は（Ｓ２０８：ｎｏ）、ＲＢ遊技用抽選テーブルを選択
する（Ｓ２１４）。ここで、本実施例の遊技機１では、ＲＢ遊技の終了条件として、ＲＢ
遊技開始後の遊技役の入賞成立回数が所定回数（例えば、８回）に達すること、ＲＢ遊技
開始から所定回数（例えば、１２ゲーム）の遊技が行われることの２つの終了条件が設定
されており、何れか一方の条件が成立すると、ＲＢ遊技の終了条件が成立したと判断され
る。図７および図８を用いて前述したように、本実施例の遊技機１では、遊技制御処理に
おいて、３つの回胴が停止表示されて何らかの図柄組合せが得られる度に、遊技回数を計
数するとともに（図７のＳ１２０）、遊技役の入賞が成立して遊技メダルが払い出される
度に入賞回数を計数している（図８のＳ１４０）。従って、主制御基板２００のＣＰＵ２
０１は、ＲＢ遊技を開始してからの遊技回数が所定回数に達するか、あるいは入賞成立回
数が所定回数に達すると、直ちにこれを検出して、ＲＢ遊技の終了条件が成立したことを
検出することができる。
【００７３】
図１４は、ＲＢ遊技用に用いられる抽選テーブルを概念的に示した説明図である。図１
４（ａ）には、各遊技役に対して割り当てられた乱数範囲が示されており、図１４（ｂ）
には、各遊技役に割り当てられた乱数範囲の大まかな比率が示されている。図１３に示し
たＢＢ一般遊技用抽選テーブルと比較すると明らかなように、図１４のＲＢ遊技用抽選テ
ーブルも、ＢＢ一般遊技用抽選テーブルと同様に、「赤７のＢＢ役」、「青７のＢＢ役」
、「再遊技役」の遊技役は設定されていない。しかし、ＲＢ遊技用抽選テーブルでは、Ｂ
Ｂ一般遊技用抽選テーブルで「ＲＢ役」に設定されていた乱数範囲の全てと、「ハズレ」
に設定されていた乱数範囲の一部とに「増加役」が設定されている。図６を用いて前述し
たように、「増加役」の入賞が成立すると、１５枚の遊技メダルが払い出されることから
、ＲＢ遊技中は高い確率で増加役の入賞が成立し、入賞成立の度に１５枚の遊技メダルが
払い出されることになる。
【００７４】
これに対して、Ｓ２０８の判断で、ＲＢ遊技の終了条件が満たされたと判断された場合
は（Ｓ２０８：ｙｅｓ）、ＲＢ遊技を終了するべく、ＲＢ遊技フラグをＯＦＦに設定した
後（Ｓ２１０）、図１３を用いて前述したＢＢ一般遊技用抽選テーブルを選択する（Ｓ２
１２）。その結果、ＲＢ遊技を終了すると、前述したＢＢ一般遊技状態に戻って遊技が継
続されることになる。
【００７５】
以上では、ＢＢ遊技フラグがＯＮに設定されていると判断された場合（Ｓ２００：ｙｅ
ｓ）について説明した。これに対して、ＢＢ遊技フラグがＯＮに設定されていなかった場
合（Ｓ２００：ｎｏ）、図９を用いて前述した通常遊技用抽選テーブルを選択した後（Ｓ
２１６）、図１２の遊技状態設定処理を終了して、図７および図８の遊技制御処理に復帰
する。
【００７６】
以上に説明したように、遊技制御処理が開始されて最初に行われる遊技状態設定処理（
Ｓ１００）では、遊技状態フラグの設定に応じて適切な抽選テーブルを選択する処理が行
われる。そして、遊技状態設定処理で何れの抽選テーブルが選択されたかによって、内部
抽選で当選可能な遊技役の種類や遊技役の当選し易さが切り換わるようになっている。
【００７７】
また、図７を用いて前述したように、スタートレバー３６が操作されると、内部抽選が
行われた後（Ｓ１１０）、３つの回胴２０ａ，２０ｂ，２０ｃの回転が開始されるが（Ｓ
１１６）、本実施例の遊技機１では、内部抽選でＢＢ役に当選していた場合には、通常と
は異なる特殊な態様で回転するようになっている。以下では、回胴２０ａ，２０ｂ，２０
ｃを回転させるために行われる回胴回転処理（Ｓ１１６）について説明する。
【００７８】
Ｃ−３．回胴回転処理  ：
図１５は、本実施例の遊技機１が回胴２０ａ，２０ｂ，２０ｃを回転させるために行う
回胴回転処理を示したフローチャートである。この処理は、図７に示した遊技制御処理の
中で主制御基板２００のＣＰＵ２０１によって実行される処理である。図示されるように
、回胴回転処理を開始すると、先ず始めに、特殊回転フラグがＯＮに設定されているか否
かを判断する（Ｓ３００）。特殊回転フラグとは、ＢＢ役に内部当選した場合にＯＮに設
定されるフラグであり、図１０（ｂ）を用いて前述したように、ボーナス役内部当選フラ
グが設定されるＲＡＭ２０３の１バイト領域の最上位ビットが、特殊回転フラグに割り当
てられている。そして、このビットに「１」が記憶されると、特殊回転フラグがＯＮに設
定される。その結果、特殊回転フラグがＯＮに設定されていないと判断された場合は（Ｓ
３００：ｎｏ）、通常態様で、３つの回胴２０ａ，２０ｂ，２０ｃの回転を開始する（Ｓ
３０２）。ここで、通常態様とは、表示窓２０から見たときに、図柄が上から下へと移動
する方向（以下、正方向と呼ぶ）に、所定の回転速度（本実施例では７９．８９８回転／
分）で定速回転する態様である。また、以下では、３つの回胴２０ａ，２０ｂ，２０ｃを
通常の態様で回転させることを、「通常回転動作」と呼ぶことがあるものとする。尚、こ
の「通常回転動作」が、本発明における「通常回転」に対応している。
【００７９】
図１６は、回胴２０ａ，２０ｂ，２０ｃが、通常回転動作する様子を概念的に示した説
明図である。図示されるように、通常回転動作を開始すると、回転速度が速やかに正方向
に増加して、所定の回転速度に達すると、その回転速度を維持するようになっている。ま
た、このような態様で回胴２０ａ，２０ｂ，２０ｃを回転させるために、本実施例では、
回胴２０ａ，２０ｂ，２０ｃを回転させるステップモータを次のようにして駆動する。
【００８０】
図１７は、回胴２０ａ，２０ｂ，２０ｃを通常回転動作させる際のステップモータの駆
動方法を示した説明図である。周知のようにステップモータは、複数設けられた励磁状態
を、次々と切り換えていくことによって回転しており、励磁状態を切り換える速度を変え
れば、モータの回転速度を変更することが可能である。また、励磁状態を切り換える順序
を逆にすれば、モータを逆回転することが可能であり、更に、同じ励磁状態で保持すれば
、その位置でモータの回転を止めておくことも可能である。本実施例では、０層〜３層を
１−２相励磁方式にて切り換え可能なステップモータが採用されており、回胴２０ａ，２
０ｂ，２０ｃを通常回転動作させる際には、励磁１〜励磁８までの８つの励磁状態（図１
８参照）を、以下のようにして切り換えていく。
【００８１】
先ず始めは、励磁状態を励磁１の状態として、その状態で、９０回のタイマー割り込み
が発生するまで保持する。すなわち、本実施例では１．４９ｍｓｅｃ毎に１回の頻度でタ
イマー割り込みを発生させており、そのタイマー割り込みが９０回発生するまで、励磁１
の状態を保持することとしている。図１７の一番上の欄には、ステップ１として、タイマ
ー割り込みのカウント値が「９０」に達するまで、励磁１の状態で保持する旨が示されて
いる。
【００８２】
励磁１の励磁状態で、タイマー割り込みのカウント値が「９０」に達するまで保持した
ら、励磁状態を励磁２の状態に切り換えて、その状態でカウント値が「１５」に達するま
で保持する。図１７のステップ２には、タイマー割り込みのカウント値が「１５」に達す
るまで、励磁２の状態で保持する旨が示されている。尚、ステップ１の励磁１からステッ
プ２の励磁２に向かう矢印に（＋）と表示されているのは、励磁１から励磁２への切り換
えが、正方向（回胴２０ａ，２０ｂ，２０ｃを正方向に回転させる）方向の切り換えであ
ることを表している。続くステップ３では、励磁状態を励磁３に切り換えて、その状態を
カウント値が「７」に達するまで保持する。更にステップ４では、励磁状態を励磁４に切
り換えて、その状態をカウント値が「７」に達するまで保持する。
【００８３】
このように、回胴２０ａ，２０ｂ，２０ｃを通常回転動作させる際には、図１７に示し
たステップ１〜ステップ１８の１８段階に分けて、少しずつカウント値の設定を減少させ
ながら、タイマー割り込みの発生回数がカウント値に達する度に、励磁状態を正方向に順
番に切り換えていく。これに伴ってステップモータの回転速度（すなわち、回胴２０ａ，
２０ｂ，２０ｃの回転速度）は次第に正方向に加速していき、最後のステップ１８で最高
回転速度に達する。そして、最高回転速度に達した後は、カウント値の設定を「１」に保
ったまま（従って、タイマー割り込みが発生する度に）、励磁状態を切り換える。その結
果、ステップモータ（すなわち、回胴２０ａ，２０ｂ，２０ｃ）は、最高回転速度のまま
一定速度で正方向に回転し続けることになる。尚、ここでは、駆動開始時点で、ステップ
モータのロータ（回転軸）が、励磁１に対応する位置にあるものとして説明したが、駆動
開始時のロータの位置が励磁１以外に対応する位置にある場合には、その位置に対応する
励磁状態から、正方向に励磁状態を順番に切り換えていけばよい。
【００８４】
主制御基板２００のＲＯＭ２０２には、図１７に示すようなステップモータの駆動方法
（駆動スケジュール）が予め記憶されている。そして、図１５に示した回胴回転処理のＳ
３０２では、主制御基板２００のＣＰＵ２０１が、ＲＯＭ２０２に記憶された通常回転動
作用の駆動スケジュールを読み出した後、図１７に示したステップ１〜ステップ１８に従
って、励磁１〜励磁８までの励磁状態を正方向に順番に切り換えることで、回胴２０ａ，
２０ｂ，２０ｃの回転速度を正方向に速やかに加速させる。そして、最高回転速度に達し
た後は、その回転速度を保つ処理を行う。尚、図示の関係上、図１６では比較的ゆっくり
と回転速度が増加するように表示されているが、図１７に従って加速させた場合、停止状
態から最高回転速度に達するまで、全カウント値にして「１６６」、時間にして２４７．
３４ｍｓｅｃ（＝１．４９ｍｓｅｃ×１６６）しかかからず、極めて速やかに加速させる
ことが可能である。なお、２４７．３４ｍｓｅｃは、ステップモータのステップ数にして
１８ステップ分に相当する。
【００８５】
尚、３つの回胴２０ａ，２０ｂ，２０ｃを、正方向に、規定の回転速度で回転させる通
常回転動作（通常回転）させる処理は、図１５に示した回胴回転処理の中で行われている
。この回胴回転処理は、主制御基板２００に搭載されたＣＰＵ２０１によって実行されて
いることから、本発明の主制御基板２００に搭載されたＣＰＵ２０１は、本発明における
「通常回転実行手段」に対応している。
【００８６】
一方、図１５に示した回胴回転処理の最初の判断で、特殊回転フラグがＯＮに設定され
ていると判断された場合は（Ｓ３００：ｙｅｓ）、回胴２０ａ，２０ｂ，２０ｃを上述し
た通常回転動作とは異なる態様で回転（動作）させるべく、以下に説明する特殊回転動作
実行処理を開始する（Ｓ３０４）。
【００８７】
図１９は、回胴２０ａ，２０ｂ，２０ｃを通常回転動作とは異なる態様で回転させるた
めに行われる特殊回転動作実行処理を示したフローチャートである。特殊回転動作実行処
理（Ｓ３０４）を開始すると、先ず始めに、特殊回転動作態様（特殊動作の種類）を決定
する（Ｓ３５０）。すなわち、本実施例では、２種類の特殊回転動作態様が設けられてお
り、何れの態様で回転させるかを決定するのである。尚、決定に際しては、乱数を用いた
抽選を行って決定しても良いし、あるいは遊技状態に応じて（例えば特殊回転フラグをＯ
Ｎに設定する原因となったＢＢ役の内部当選が、赤７のＢＢ役か、青７のＢＢ役かに応じ
て）、特殊回転動作態様を決定しても良い。また、異なる特殊回転動作態様に応じて特殊
回転フラグを各々設定する場合（特殊回転フラグＡ、Ｂ等が存在する場合）は、設定され
ている特殊回転フラグを基に特殊回転動作態様を決定しても良い。なお、ここで決定され
た特殊回転動作態様は、主制御基板２００に搭載されたＲＡＭ２０３に「特殊回転動作態
様情報」として記憶され、電断（後述する）が発生した場合であってもＲＡＭ２０３に保
持される。
【００８８】
図２０は、本実施例の遊技機１に設けられた特殊回転動作態様を例示した説明図である
。図２０（ａ）には、態様Ａの特殊回転動作（特殊回転動作態様Ａ）が示されており、図
２０（ｂ）には、態様Ｂの特殊回転動作（特殊回転動作態様Ｂ）が示されている。始めに
、図２０（ａ）を参照して態様Ａの特殊回転動作について説明する。態様Ａの特殊回転動
作を開始すると、回転速度が速やかに負方向に増加して、所定の回転速度に達すると、所
定の定速駆動時間Ｉa だけその回転速度を維持するようになっている。ここで、負方向の
回転とは、表示窓２０から見たときに、回胴２０ａ，２０ｂ，２０ｃの図柄が下から上へ
と移動するような回転方向である。そして、定速駆動時間Ｉa が経過したら、負方向の回
転速度が速やかに減速して、一旦停止した後、所定の停止時間Ｓa だけ停止状態を維持す
る。尚、詳細には後述するが、図１５に示す本実施例の回胴回転処理では、以上のように
して態様Ａの特殊回転動作を終了すると、通常回転動作が開始されるようになっている。
このことに対応して、図２０（ａ）では、態様Ａの特殊回転動作に続いて開始される通常
回転動作が破線によって表されている。
【００８９】
また、態様Ｂの特殊回転動作の場合には、図２０（ｂ）に示されているように、回転速
度が速やかに正方向に増加した後、所定の回転速度に達すると、その回転速度を、所定の
定速駆動時間Ｉb1だけ、その回転速度を維持する。このときの回転速度は、前述した通常
回転動作で定速回転する時の回転速度よりも遅い速度となっている。そして、定速駆動時
間Ｉb1が経過したら、正方向の回転速度が速やかに減速して、所定の停止時間Ｓb1だけ、
停止状態となる。その後、再び正方向に加速した後、更にゆっくりとした速度で、所定の
定速駆動時間Ｉb2だけ定速回転を行う。そして、定速駆動時間Ｉb2が経過したら、速やか
に減速して一旦停止した後、所定の停止時間Ｓb2だけ停止状態を維持する。尚、後述する
ように、態様Ｂの特殊回転動作を終了した場合も、続いて通常回転動作が開始されるよう
になっている。このことに対応して、図２０（ｂ）においても、態様Ｂの特殊回転動作に
続いて開始される通常回転動作が破線によって表されている。
【００９０】
図１９に示した特殊回転動作実行処理を開始すると、このような特殊回転動作態様の中
から、態様Ａまたは態様Ｂの何れかの態様を決定する（Ｓ３５０）。続いて、決定した特
殊回転動作態様に応じた駆動スケジュールを読み込む処理を行う（Ｓ３５２）。ここで駆
動スケジュールとは、図１７を用いて前述したように、回胴２０ａ，２０ｂ，２０ｃを回
転させるためにステップモータを駆動する駆動方法である。本実施例では、特殊回転動作
態様として、図２０（ａ）に示した態様Ａと、図２０（ｂ）に示した態様Ｂの２種類の態
様が設けられていることに対応して、主制御基板２００のＲＯＭ２０２には、それぞれの
態様に対応する駆動スケジュールが予め記憶されている。
【００９１】
図２１は、態様Ａの特殊回転動作に対応するステップモータの駆動スケジュールを示し
た説明図である。また、図２２は、態様Ｂの特殊回転動作に対応するステップモータの駆
動スケジュールを示した説明図である。各駆動スケジュールの内容については、後ほど詳
しく説明するが、ここでは、態様Ａの特殊回転動作に対応する駆動スケジュールを読み込
んだものとして説明する。
【００９２】
駆動スケジュールを読み込んだら（図１９のＳ３５２）、駆動時間の計時を開始した後
（Ｓ３５４）、読み込んだ駆動スケジュールに従って、ステップモータを駆動する（Ｓ３
５６）。以下では、態様Ａの駆動スケジュールに従ってステップモータを駆動する様子に
ついて説明する。
【００９３】
図２０（ａ）を用いて前述したように、態様Ａの特殊回転動作態様を大まかに見ると、
回胴２０ａ，２０ｂ，２０ｃを負方向に加速させる期間と、一定速度で回転させる期間と
、負方向の回転速度を減速させる期間と、停止している期間の４つの期間に分けられる。
このことと対応して、図２１に示した態様Ａの駆動スケジュールも、回胴２０ａ，２０ｂ
，２０ｃを負方向に加速駆動するためのテーブルと、一定速度で定速駆動させる部分と、
負方向の回転速度を減速駆動させるテーブルと、停止させる部分の大きく４つの部分から
構成されている。
【００９４】
図２１中の左上に示した加速駆動用のテーブルでは、ステップ１〜ステップ１８の１８
ステップから構成されており、１８段階に分けて、回胴２０ａ，２０ｂ，２０ｃを負方向
に加速させていく。すなわち、先ず始めにステップ１では、励磁状態を励磁１の状態とし
て、その状態で、タイマー割り込みの発生回数をカウントしながら、カウント値が「９０
」に達するまで保持する。そして、タイマー割り込みのカウント値が「９０」に達したら
ステップ２に移行して、励磁状態を励磁１から励磁８の状態に切り換える。すなわち、図
１７を用いて前述した通常回転動作では、回胴２０ａ，２０ｂ，２０ｃを正方向に回転さ
せるために、励磁１から励磁２の状態に切り換えたが、態様Ａの特殊回転動作では、回胴
２０ａ，２０ｂ，２０ｃを負方向に回転させるので、励磁１から逆方向の励磁８の状態に
切り換えるのである。そしてステップ２では、励磁８の状態でタイマー割り込みのカウン
ト値が「１５」に達するまで保持した後、今度は、励磁８の状態から励磁７の状態に切り
換えて（ステップ３）、カウント値が「７」に達するまで保持する。
【００９５】
このように、図２１中の左上に示した加速駆動用のテーブルには、ステップ１から、ス
テップ２、ステップ３へと、カウント値の設定を少しずつ減少させながら、励磁状態を負
方向に順番に切り換えていく旨が設定されている。そしてステップ１８に達すると、カウ
ント値が「１」となり、励磁状態が励磁１から励磁８の状態に切り換わる。図２０（ａ）
中で、態様Ａでの回転開始後、負方向に加速させる動作は、このようにしてステップモー
タを駆動することによって実現されている。
【００９６】
尚、ここでも、ステップモータのロータ（回転軸）が、駆動開始時点では、励磁１に対
応する位置にあるものとして説明したが、駆動開始時のロータの位置が励磁１以外に対応
する位置にある場合には、その位置に対応する励磁状態から、負方向に励磁状態を順番に
切り換えていけばよい。また、図１７に示した通常回転動作時の駆動方法と、図２１に示
した態様Ａの特殊回転動作時の駆動方法とを比較すれば明らかなように、どちらの場合も
、カウント値９０からカウント値１までを、ステップ１〜ステップ１８の１８段階で変化
させている。従って、通常回転動作と、態様Ａの特殊回転動作とは、回転方向が逆である
ものの、同じ時間（２４７．３４ｍｓｅｃ＝１．４９ｍｓｅｃ×１６６）をかけて、同じ
回転速度（本実施例では７９．８９８回転／分）まで加速していることになる。
【００９７】
そして、加速駆動のステップ１８に達すると、定速駆動が開始される。定速駆動では、
ステップ１８で到達したカウント値「１」が保持されて、タイマー割り込みが発生する度
に、励磁状態を負方向に（すなわち、励磁１→励磁８→励磁７→・・・・・→励磁２→励
磁１）順番に切り換える。その結果、回胴２０ａ，２０ｂ，２０ｃが、負方向に一定回転
で回転することになる。図２１中で左上のテーブルの隣に（定速駆動）と表示されている
のは、このようにカウント値を一定値としたまま（ここでは、カウント値「１」に保った
まま）励磁状態を順番に切り換えることで、回胴２０ａ，２０ｂ，２０ｃを一定速度で回
転させていることを表している。
【００９８】
そして、図２０（ａ）に示されているように、態様Ａの特殊回転動作では、定速駆動の
状態が、駆動開始から時間Ｔa1が経過するまで継続される。このことと対応して、態様Ａ
の特殊回転動作の駆動スケジュールには、駆動開始後、時間Ｔa1が経過したら、次の減速
のための駆動を開始する旨が設定されている。前述したように、図１９に示した特殊回転
動作実行処理では、駆動スケジュールに従ってステップモータの駆動を開始するに先立っ
て、駆動時間の計時を開始しており（Ｓ３５４）、この計時時間が時間Ｔa1に達すると、
定速駆動を終了して、次の減速駆動を開始する。
【００９９】
回胴２０ａ，２０ｂ，２０ｃを減速させるための駆動内容は、図２１中の右下のテーブ
ルに示されている。図示されているように、回胴２０ａ，２０ｂ，２０ｃの減速駆動も、
ステップ１〜ステップ１８の１８段階に分けて行われる。すなわち、ステップ１〜ステッ
プ１８へとステップが進むにつれて、カウント値の設定を「１」（定速駆動時のカウント
値）から次第に増加させていき、最後のステップ１８ではカウント値を「９０」まで増加
させる。また、ステップが進むにつれて、励磁状態を負方向に順番に切り換えていく。こ
うすれば、励磁状態が負方向に順番に切り換わることに対応して、回胴２０ａ，２０ｂ，
２０ｃが負方向に回転するとともに、回胴２０ａ，２０ｂ，２０ｃの回転速度が次第に低
下していく。図２０（ａ）中で、回胴２０ａ，２０ｂ，２０ｃを負方向に定速駆動した後
、減速させる動作は、このようにしてステップモータを駆動することによって実現されて
いる。尚、図２１中に右下に示した減速駆動のテーブルにおいても、減速駆動の開始時点
では、ステップモータのロータ（回転軸）が、励磁１に対応する位置にあるものとして説
明したが、駆動開始時のロータの位置が励磁１以外に対応する位置にある場合には、その
位置に対応する励磁状態から、負方向に励磁状態を順番に切り換えていけばよい。
【０１００】
こうして減速駆動で最後のステップ１８に達すると、次は、その時の励磁状態を保持し
た状態となる。その結果、回胴２０ａ，２０ｂ，２０ｃは、停止した状態に保たれる。図
２１中で右下に示した減速駆動のテーブルの隣に（保持）と表示されているのは、励磁状
態を保持することで、回胴２０ａ，２０ｂ，２０ｃを停止させている状態を表している。
尚、図２１中に示した減速駆動のテーブルでは、ステップ１８の達した時の励磁状態が励
磁８となっており、従って、励磁８の状態を保持するものとして示されている。しかし、
これは、減速駆動を開始した時点で、ステップモータのロータ（回転軸）が、励磁１に対
応する位置に存在した場合を想定したためである。従って、減速駆動開始時のロータの位
置が励磁１以外に対応する位置にある場合には、ステップ１８での励磁状態も励磁８とは
異なる状態となり、回胴２０ａ，２０ｂ，２０ｃを停止させる際には異なる励磁状態で保
持されることになる。
【０１０１】
そして、態様Ａの特殊回転動作は、図２０（ａ）に示されているように、駆動開始から
時間Ｔa2が経過すると終了する。このことと対応して、態様Ａの特殊回転動作の駆動スケ
ジュールには、励磁状態を保持する動作も、駆動開始から時間Ｔa2が経過した時点で終了
する旨が設定されている。従って、図１９に示した特殊回転動作実行処理のＳ３５４で計
時を開始した駆動時間が、時間Ｔa2に達すると、態様Ａの特殊回転動作を終了する。
【０１０２】
以上では、図１９の特殊回転動作実行処理のＳ３５２で、態様Ａの特殊回転動作用の駆
動スケジュールを読み込んで、特殊回転動作を実行する場合について説明した。これに対
して、Ｓ３５２で、態様Ｂの特殊回転動作用の駆動スケジュールを読み込んだ場合は、次
のようにして態様Ｂの特殊回転動作を実行する。
【０１０３】
図２２は、態様Ｂの特殊回転動作態様に対応するステップモータの駆動スケジュールを
示した説明図である。図２０（ｂ）を用いて前述したように、態様Ｂの特殊回転動作態様
は、大まかには８つの期間から構成されている。すなわち、回胴２０ａ，２０ｂ，２０ｃ
を正方向に加速させる最初の加速期間と、通常の回転速度（本実施例では７９．８９８回
転／分）よりも遅い第１のスロー一定速度（本実施例では３９．９４９回転／分）で回転
させる最初の定速期間と、正方向に減速させる最初の減速期間と、最初の停止期間と、２
回目の加速期間と、通常の回転速度および第１のスロー一定速度よりも遅い第２のスロー
一定速度（本実施例では１１．４１４回転／分）で回転させる２回目の定速期間と、２回
目の減速期間と、２回目の停止期間の８つの期間から構成されている。このことと対応し
て、態様Ｂの駆動スケジュールも、図２２に示すように、最初の加速駆動用のテーブルと
、最初の定速駆動の部分と、最初の減速駆動用のテーブルと、最初の保持部分と、２回目
の加速駆動用のテーブルと、２回目の定速駆動の部分と、２回目の減速駆動用のテーブル
と、２日目の保持部分の大きく８つの部分から構成されている。
【０１０４】
図２２中の左上に示した最初の加速駆動用のテーブルでは、ステップ１〜ステップ９の
９つのステップに分けて、カウント値を「９０」から「２」まで減少させるとともに、励
磁状態を正方向（すなわち、励磁１→励磁２→・・・・・→励磁７→励磁８→励磁１）に
順番に切り換えていく。このため回胴２０ａ，２０ｂ，２０ｃが正方向に回転し、また、
カウント値の設定が小さくなっていることに対応して、回転速度が次第に増加していく。
そして、ステップ９に達したら、その時のカウント値の設定を保ったまま、励磁状態を正
方向に順番に切り換える。その結果、回胴２０ａ，２０ｂ，２０ｃは、正方向に一定速度
で回転した状態となる。尚、ここでも、ステップモータのロータ（回転軸）が、駆動開始
時点では、励磁１に対応する位置にあるものとして説明したが、駆動開始時のロータの位
置が励磁１以外に対応する位置にある場合には、その位置に対応する励磁状態から、正方
向に順番に励磁状態を切り換えていけばよい。
【０１０５】
図２０（ｂ）で、態様Ｂの特殊回転動作の開始後、回胴２０ａ，２０ｂ，２０ｃを正方
向に加速させる動作は、このようにしてステップモータを駆動することによって実現され
ている。尚、図１７に示した通常回転動作の定速駆動時や、図２１に示した態様Ａの特殊
回転動作では、カウント値が「１」に設定された状態で定速駆動が行われているが、図２
２に示した態様Ｂの特殊回転動作における最初の定速駆動は、カウント値が「２」に設定
された状態で行われている。従って、態様Ｂの特殊回転動作における最初の定速駆動では
、通常回転動作の定速駆動や、態様Ａの特殊回転動作における最初の定速駆動に対して、
回胴２０ａ，２０ｂ，２０ｃの回転速度が半分になっている。
【０１０６】
そして、図２０（ｂ）に示されているように、態様Ｂの特殊回転動作では、駆動開始か
ら時間Ｔb1が経過すると、最初の減速駆動が開始される。このことと対応して、態様Ｂの
特殊回転動作に対応する駆動スケジュールには、駆動開始から時間Ｔb1が経過したら、最
初の減速駆動を開始する旨が設定されている。従って、図１９に示した特殊回転動作実行
処理では、ステップモータの駆動開始からの計時時間が、時間Ｔb1に達したら、最初の定
速駆動を終了して、最初の減速駆動を開始する。
【０１０７】
図２２の中ほどには、最初の減速駆動用のテーブルが示されている。図示されるように
、最初の減速駆動は、ステップ１〜ステップ９の９段階で、カウント値を「２」から「９
０」まで次第に増加させながら、ステップが進むにつれて、励磁状態を正方向に順番に切
り換えていく。その結果、回胴２０ａ，２０ｂ，２０ｃは、正方向に回転しながら、次第
に回転速度が低下していく。尚、ここでも、減速駆動の開始時点では、ステップモータの
ロータ（回転軸）が、励磁１に対応する位置にあるものとして説明したが、駆動開始時の
ロータの位置が励磁１以外に対応する位置にある場合には、その位置に対応する励磁状態
から、正方向に励磁状態を順番に切り換えていけばよい。そして、減速駆動における最後
のステップ９に達すると、次は、その時の励磁状態を保持した状態となる。その結果、回
胴２０ａ，２０ｂ，２０ｃは、停止した状態に保たれる。図２２の中ほどに示した最初の
減速駆動用のテーブルの隣に（保持）と表示されているのは、励磁状態を保持することで
、回胴２０ａ，２０ｂ，２０ｃを停止させることを表している。
【０１０８】
尚、上述した「最初の加速期間」および「最初の減速期間」は、全カウント値にして「
１４９」、時間にして２２２．０１ｍｓｅｃ（＝１．４９ｍｓｅｃ×１４９）がかかる。
なお、「最初の加速期間」および「最初の減速期間」は、ステップモータのステップ数に
して９ステップ分の移動で実行される。
【０１０９】
また、図２０（ｂ）に示されるように、態様Ｂの特殊回転動作では、駆動開始から時間
Ｔb2が経過すると、２回目の加速駆動が開始される。このことと対応して、態様Ｂの特殊
回転動作の駆動スケジュールには、駆動開始から時間Ｔb2が経過すると、最初の保持状態
を終了して、２回目の加速駆動を開始する旨が設定されている。このことと対応して、態
様Ｂの特殊回転動作に対応する駆動スケジュールには、駆動開始から時間Ｔb2が経過した
ら、２回目の加速駆動を開始する旨が設定されている。従って、図１９に示した特殊回転
動作実行処理では、ステップモータの駆動開始からの計時時間が、時間Ｔb2に達したら、
最初の保持状態を終了して、２回目の加速駆動が開始される。
【０１１０】
２回目の加速駆動も、１回目の加速駆動とほぼ同様にして行われるが、加速によって達
する回転速度が１回目よりも小さな速度に設定されており、このことと対応して、加速の
ためのステップも、少ないステップとなっている点が異なっている。すなわち、２回目の
加速駆動では、ステップ１〜ステップ３にかけてカウント値の設定を「９０」から「７」
に減少させると共に、ステップが進む度に励磁状態を正方向に順番に切り換える。その結
果、回胴２０ａ，２０ｂ，２０ｃは正方向に加速する。また、このとき到達する回転速度
は、ステップ３でのカウント値が「７」であることに対応して、１回目の加速で到達する
回転速度よりも更に低い速度となっている。そして、ステップ３に達したら、その時のカ
ウント値の設定（ここでは、「７」）を保ったまま、励磁状態を正方向に順番に切り換え
ることによって、２回目の定速駆動を開始する。
【０１１１】
そして、図２０（ｂ）に示されているように、態様Ｂの特殊回転動作では、駆動開始か
ら時間Ｔb3が経過すると、２回目の減速駆動に移行する。このことと対応して、態様Ｂの
特殊回転動作に対応する駆動スケジュールには、駆動開始から時間Ｔb3が経過したら、２
回目の減速駆動を開始する旨が設定されている。
【０１１２】
２回目の減速駆動も、１回目の減速駆動とほぼ同様にして行われるが、定速駆動時の回
転速度が低いので、減速に要するステップが少ない点で異なっている。すなわち、２回目
の減速駆動では、ステップ１〜ステップ３にかけてカウント値の設定を「７」から「９０
」に減少させると共に、ステップが進む度に励磁状態を正方向に順番に切り換える。その
結果、回胴２０ａ，２０ｂ，２０ｃは正方向に減速する。そして、２回目の減速駆動にお
ける最後のステップ３に達すると、次は、その時の励磁状態を保持した状態（２回目の保
持状態）となる。その結果、回胴２０ａ，２０ｂ，２０ｃは、再び停止した状態となる。
【０１１３】
尚、上述した「２回目の加速期間」および「２回目の減速期間」は、全カウント値にし
て「１１２」、時間にして１６６．８８ｍｓｅｃ（＝１．４９ｍｓｅｃ×１１２）がかか
る。なお、「２回目の加速期間」および「２回目の減速期間」は、ステップモータのステ
ップ数にして３ステップ分の移動で実行される。
【０１１４】
そして、図２０（ｂ）に示されているように、態様Ｂの特殊回転動作は、駆動開始から
時間Ｔb4が経過すると終了する。このことと対応して、態様Ｂの特殊回転動作の駆動スケ
ジュールには、駆動開始から時間Ｔb4が経過した時点で、２回目の保持状態を終了する旨
が設定されている。従って、図１９に示した特殊回転動作実行処理のＳ３５４で計時を開
始した駆動時間が、時間Ｔb4に達すると、態様Ｂの特殊回転を終了する。
【０１１５】
図１９に示した特殊回転動作実行処理では、以上に説明したように、Ｓ３５２で読み込
んだ駆動スケジュールに従ってステップモータを駆動することによって、回胴２０ａ，２
０ｂ，２０ｃを特殊な態様で回転させる処理を行う。そして、読み込んだ駆動スケジュー
ルを最後まで実行したら、図１９の特殊回転動作実行処理を終了して、図１５の回胴回転
処理に復帰する。
【０１１６】
尚、３つの回胴２０ａ，２０ｂ，２０ｃを特殊回転動作（特殊回転）させるための特殊
回転動作実行処理は、主制御基板２００に搭載されたＣＰＵ２０１によって実行されてい
る。従って、本発明の主制御基板２００に搭載されたＣＰＵ２０１は、本発明における「
特殊回転実行手段」に対応している。
【０１１７】
図１５に示すように、特殊回転動作実行処理（Ｓ３０４）から復帰すると、特殊回転フ
ラグをＯＦＦに設定した後（Ｓ３０６）、通常回転動作を開始する（Ｓ３０８）。ここで
、特殊回転フラグとは、特殊回転動作を行う旨を示すフラグであり（Ｓ３００参照）、Ｂ
Ｂ役に内部当選した場合にＯＮに設定されるフラグである（図７のＳ１１４参照）。また
、通常回転動作は、図１７を用いて前述した通常回転動作用の駆動スケジュールに従って
、回胴２０ａ，２０ｂ，２０ｃを一定速度まで正方向に加速させた後、その回転速度を保
って定速駆動することによって行われる。
【０１１８】
このように、図１５に示した回胴回転処理では、特殊回転フラグがＯＮに設定されてい
ない場合には（Ｓ３００：ｎｏ）、回胴２０ａ，２０ｂ，２０ｃを通常回転動作させ、ま
た特殊回転フラグがＯＮに設定されていた場合には（Ｓ３００：ｙｅｓ）、回胴２０ａ，
２０ｂ，２０ｃを一旦、特殊な態様で回転させてから、通常回転動作させた後、処理を終
了して、図７に示した遊技制御処理に復帰する。
【０１１９】
図７を用いて前述したように、遊技制御処理では、回胴回転処理（Ｓ１１６）で回胴２
０ａ，２０ｂ，２０ｃを回転させた後は、遊技者による回胴停止ボタン３８ａ，３８ｂ，
３８ｃのボタン操作に従って、回胴２０ａ，２０ｂ，２０ｃを停止させる処理（回胴回転
停止処理）を開始する（Ｓ１１８）。この回胴回転停止処理では、先に行われた内部抽選
処理（Ｓ１１０）で何れかの遊技役に内部当選し、尚且つ、遊技者が回胴停止ボタン３８
ａ，３８ｂ，３８ｃを適切なタイミングで操作した場合にだけ、内部当選した遊技役に対
応する図柄組合せが有効な入賞ライン上に揃うように、回胴２０ａ，２０ｂ，２０ｃを停
止させる処理である。逆に言えば、遊技者がどのようなタイミングで回胴停止ボタン３８
ａ，３８ｂ，３８ｃを操作した場合でも、内部当選していない遊技役の図柄組合せが揃う
ようなことがあってはならない。このような回胴回転停止処理は次のようにして行われて
いる。
【０１２０】
Ｃ−４．回胴回転停止処理  ：
図２３は、本実施例の遊技機１で行われる回胴回転停止処理の流れを示すフローチャー
トである。前述したように、回胴回転停止処理は、主制御基板２００によって、図７およ
び図８に示した遊技制御処理の中で実行される（図７のＳ１１８）。
【０１２１】
回胴回転停止処理を開始すると、先ず始めに、この処理に先立って行われた内部抽選（
図７のＳ１１０）の結果に応じて第１停止テーブルを抽出する処理を行う（Ｓ４００）。
ここで、停止テーブルとは、回胴２０ａ，２０ｂ，２０ｃを停止する際に参照する専用の
テーブルである。詳しくは後述するが、遊技者が回胴停止ボタン３８ａ，３８ｂ，３８ｃ
を操作したときに、回胴の外周面に描かれた図柄のうち（図３参照）、何れの図柄を表示
窓２０に表示して回胴２０ａ，２０ｂ，２０ｃを停止するかは、停止テーブルに予め設定
されている。前述したように、内部抽選によってある遊技役に当選している場合は、適切
なタイミングで回胴停止ボタン３８ａ，３８ｂ，３８ｃを操作すると、その遊技役に対応
する図柄組合せが入賞ライン上に揃うように、各回胴２０ａ，２０ｂ，２０ｃを停止する
必要がある。逆に、内部当選していない遊技役については、どのようなタイミングで回胴
停止ボタン３８ａ，３８ｂ，３８ｃを操作したとしても、対応する図柄組合せが有効な入
賞ライン上に揃わないように、各回胴２０ａ，２０ｂ，２０ｃを停止する必要がある。そ
のため、何れの遊技役に内部当選しているかに応じて、異なる停止テーブルが設けられて
いる。
【０１２２】
また、このような停止テーブルには、回胴２０ａ，２０ｂ，２０ｃの全てが回転してい
るときに参照する第１停止テーブルと、既に何れかが停止しているときに参照する第２停
止テーブルとが設定されている。そこで、回胴回転停止処理を開始した直後のＳ４００で
は、内部抽選の結果に応じて、先ず始めに第１停止テーブルを抽出する。例えば、「ベル
の小役」に内部当選したと判断された場合は、「ベルの小役」当選時用に設定された第１
停止テーブルを抽出する。もちろん、何れの遊技役にも当選していない場合には、ハズレ
用に設定された第１停止テーブルを抽出する。
【０１２３】
こうして第１停止テーブルを抽出すると、回胴２０ａ，２０ｂ，２０ｃの回転速度が所
定値に達したか否かを判断する（Ｓ４０２）。本実施例では、回胴回転停止処理に先立っ
ておこなわれた回胴回転処理（図７のＳ１１６）において、通常回転動作が行われ、回胴
２０ａ，２０ｂ，２０ｃは既に所定の回転速度で回転しているので、Ｓ４０２では、回転
速度が所定速度に達していると判断される（Ｓ４０２：ｙｅｓ）。そして、回胴停止ボタ
ン３８ａ，３８ｂ，３８ｃの操作を有効化する（Ｓ４０４）。
【０１２４】
次いで、有効となった回胴停止ボタン３８ａ，３８ｂ，３８ｃの何れかが操作されたか
否かを判断する（Ｓ４０６）。前述したように、遊技者が回胴停止ボタン３８ａ，３８ｂ
，３８ｃを操作すると、その操作信号が主制御基板２００に供給される。主制御基板２０
０は、この操作信号に基づいて、回胴停止ボタン３８ａ，３８ｂ，３８ｃが操作されたか
否かを判断することができる。そして、何れの回胴停止ボタンも操作されていない場合は
（Ｓ４０６：ｎｏ）、操作されるまで待機する。
【０１２５】
一方、何れかの回胴停止ボタンが操作された場合は（Ｓ４０６：ｙｅｓ）、操作された
回胴停止ボタンを無効化するとともに（Ｓ４０８）、回胴停止ボタンが操作された時に、
そのボタンに対応する回胴が何れの回転位置にあったかを検出する（Ｓ４１０）。前述し
たように、回胴２０ａ，２０ｂ，２０ｃのそれぞれに対応して回胴センサ２６ａ，２６ｂ
，２６ｃが設けられており（図４参照）、回胴２０ａ，２０ｂ，２０ｃの回転位置を検出
可能である。また、本実施例の遊技機１では、回胴停止ボタンの操作時に、対応する回胴
に描かれた複数の図柄（図３参照）の中の何番目の図柄が所定の「基準位置」に表示され
ていたかに基づいて、その回胴の回転位置を検出するようになっている。ここで、基準位
置は、各回胴の回転位置を相対的に検出するために予め定められた特別な位置であり、本
実施例の遊技機１では、何れの回胴も表示窓２０の中段の位置が基準位置に設定されてい
る。
【０１２６】
このようにして、回胴停止ボタンが操作された回胴の回転位置を検出したら、その回胴
を適切な位置で停止させるための処理（回胴停止制御処理）を開始する（Ｓ４１２）。こ
の回胴停止制御処理の詳細な内容については後述する。
【０１２７】
回胴停止制御処理を行って、回胴停止ボタンが操作された回胴を停止させると、３つの
回胴２０ａ，２０ｂ，２０ｃの全てを停止させたか否かを判断する（Ｓ４１４）。そして
、未だ回胴停止ボタンが操作されずに回転中の回胴がある場合は（Ｓ４１４：ｎｏ）、Ｓ
４０６の処理に戻って、有効な回胴停止ボタンが操作されるまで待機し、操作されたら続
く上述した一連の処理を実行する。こうした処理を繰り返すうちに、全ての回胴を停止さ
せたと判断されたら（Ｓ４１４：ｙｅｓ）、図２３の回胴回転停止処理を終了して、図７
および図８に示した遊技制御処理に復帰する。
【０１２８】
ここで、上述した回胴回転停止処理（図２３）の中で回胴停止ボタンが操作された場合
に、対応する回胴を適切な位置で停止させるために行われる回胴停止制御処理（Ｓ４１２
）の内容について説明する。
【０１２９】
図２４は、回胴回転停止処理の中で実行される回胴停止制御処理の流れを示したフロー
チャートである。回胴停止制御処理を開始すると、先ず始めに、停止させる回胴が第１回
胴であるか否かを判断する（Ｓ５００）。ここで、第１回胴とは、３つの回胴２０ａ，２
０ｂ，２０ｃの中で最初に停止する回胴をいう。すなわち、３つの回胴停止ボタン３８ａ
，３８ｂ，３８ｃは、どのような順序で操作してもよいことから、３つの回胴２０ａ，２
０ｂ，２０ｃの停止する順序は種々の順序を取り得る。そこで、３つの回胴２０ａ，２０
ｂ，２０ｃの中で最初に停止する回胴を「第１回胴」と呼び、２番目に停止する回胴を「
第２回胴」、３番目に停止する回胴を「第３回胴」と呼んで区別する。そして、第１回胴
を停止させると判断された場合は（Ｓ５００：ｙｅｓ）、回胴回転停止処理の開始直後（
図２３のＳ４００）に抽出しておいた第１停止テーブルを参照しながら、先に検出した回
胴停止ボタン操作時の第１回胴の回転位置（図２３のＳ４１０）に基づいて、第１回胴の
停止位置を決定する（Ｓ５０２）。本実施例の遊技機１では、回胴の停止位置として、基
準位置に停止表示させる図柄（停止図柄）を決定するようになっている。
【０１３０】
図２５は、本実施例の遊技機１に設定されている第１停止テーブルの１つを例示した説
明図である。停止テーブルには、回胴停止ボタンが操作された時の回胴の回転位置と、回
胴停止ボタンが操作されてからその回胴を停止するまでの時間（停止時間）との対応関係
が設定されている。上述したように、本実施例では、回胴２０ａ，２０ｂ，２０ｃの回転
位置を、基準位置に表示されていた図柄よって検出していることから、図２５では、回転
位置として、回胴２０ａ，２０ｂ，２０ｃの外周面に描かれた図柄の番号（図３の図柄配
列に付された番号に対応する）が設定されている。また、前述したように、回胴停止ボタ
ンの操作が有効化された時点では、対応する回胴は一定の速度で回転しているので（図２
３のＳ４０２：ｙｅｓ）、停止時間が決まれば、その間に回胴上に描かれた図柄にして何
コマ分回転が進むかも決定される。そこで、図２５に示した例では、停止時間に代えて、
回胴停止ボタンが操作されてから何コマ分回転を進めて（滑らせて）その回胴を停止する
かを示す「滑りコマ数」が設定されている。従って、このような停止テーブルを参照すれ
ば、回胴停止ボタンの操作時に基準位置に表示されていた図柄に対応する滑りコマ数を読
み出して、停止図柄を決定することができる。
【０１３１】
一例として、左回胴２０ａを第１回胴として停止させる場合について説明する。遊技者
が左側の回胴停止ボタン（左停止ボタン）３８ａを操作した時点で、図２６に示すように
、表示窓２０の中段の位置（基準位置）に１０番の「赤セブン」の図柄が表示されていた
とする。この場合に、図２５の第１停止テーブルを参照すると、１０番の「赤セブン」の
図柄に対して滑りコマ数が「２」と設定されている。そのため、図柄２コマ分滑らせて１
２番の「ベル」の図柄を、基準位置に表示させる停止図柄に決定する。図２６では、白抜
きの矢印によって回胴の回転方向を示しており、破線の円で囲んだ図柄が停止図柄となる
ことを表している。
【０１３２】
ここで、停止テーブルに設定される停止時間は、最大で１９０ｍｓｅｃとなっており、
この１９０ｍｓｅｃの間に、回胴２０ａ，２０ｂ，２０ｃは図柄にして４コマ分回転する
。換言すれば、回胴停止ボタンが操作されると、その時点で基準位置に表示されている図
柄から最大で４コマ以内にある図柄（基準位置の図柄を含めて５つの図柄）の中から停止
図柄を決定することになる。このことと対応して、停止テーブル（図２５）では、基準位
置の図柄に応じて、滑りコマ数として０〜４の数値が設定されている。
【０１３３】
このように、回胴の停止位置は、停止テーブルに設定されている停止時間（滑りコマ数
）によって決定される。従って、停止テーブルを予め適切に設定しておけば、内部当選し
た遊技役に対応する図柄組合せは、有効な入賞ライン上に比較的容易に揃うように、逆に
、内部当選していない遊技役の図柄組合せは、有効な入賞ライン上に決して揃わないよう
に、各回胴２０ａ，２０ｂ，２０ｃを停止することが可能となる。
【０１３４】
以上のようにして第１回胴の停止位置を決定したら、決定した位置で第１回胴を停止さ
せる（図２４のＳ５０４）。その後、第１回胴に停止表示された図柄に応じて第２停止テ
ーブルを抽出すると（Ｓ５０６）、図２４の回胴停止制御処理を一旦終了して、図２３に
示した回胴回転停止処理に復帰する。ここで、第１停止テーブルと第２停止テーブルとの
関係について補足して説明する。
【０１３５】
図２７は、第１停止テーブルと第２停止テーブルとの関係を示した説明図である。上述
したように第１停止テーブルは、第１回胴を停止する際、すなわち、回胴２０ａ，２０ｂ
，２０ｃの全てが回転しているときに参照するテーブルであり、３つの回胴の全てを対象
に設定されている。これに対して、第２停止テーブルは、第２回胴および第３回胴を停止
する際に参照するテーブルであり、既に停止している第１回胴が３つの回胴２０ａ，２０
ｂ，２０ｃの中の何れであるかに応じて、第１回胴を除く残り２つの回胴を対象に設定さ
れている。また、前述したように、内部当選した遊技役の入賞を成立させるには、対応す
る図柄組合せが入賞ライン上に揃う必要があり、逆に、内部当選していない遊技役の図柄
組合せは、入賞ラインの何れにも揃わないようにする必要がある。このことから、第２回
胴あるいは第３回胴に何れの図柄を停止表示させるかは、既に停止した第１回胴に表示さ
れた図柄に影響される場合がある。従って、第２停止テーブルは、第１回胴に停止表示さ
れた図柄に応じて複数用意されており、図２４のＳ５０６では、第１回胴に何れの図柄が
停止表示されたかに応じて適切な第２停止テーブルを抽出する。尚、前述したように、各
回胴２０ａ，２０ｂ，２０ｃの停止位置は、内部当選している遊技役に左右されるため、
第１停止テーブルも第２停止テーブルも共に、内部当選している遊技役に応じてそれぞれ
設定されている。
【０１３６】
以上では、停止させる回胴が第１回胴であった場合（図２４のＳ５００：ｙｅｓ）に行
われる処理について説明したが、停止させる回胴が第１回胴ではなかった場合、すなわち
、既に何れかの回胴が停止している場合には（Ｓ５００：ｎｏ）、停止させる回胴が第２
回胴であるか否かを判断する（Ｓ５０８）。そして、第２回胴であると判断された場合は
（Ｓ５０８：ｙｅｓ）、Ｓ５０６で抽出した第２停止テーブルを参照しながら、先に検出
した回胴停止ボタン操作時の第２回胴の回転位置（図２３のＳ４１０）に基づいて、前述
した第１回胴の場合と同様に、第２回胴の停止位置を決定する（Ｓ５１０）。その後、決
定した位置で第２回胴を停止すると（Ｓ５１２）、図２４の回胴停止制御処理を一旦終了
して、図２３の回胴回転停止処理に復帰する。
【０１３７】
これに対して、停止させる図柄が第２回胴ではなかった場合は（Ｓ５０８：ｎｏ）、既
に第１回胴および第２回胴は停止しており、第３回胴を停止させると判断されるので、第
２停止テーブルを参照しながら、先に検出した回胴停止ボタン操作時の第３回胴の回転位
置（図２３のＳ４１０）に基づいて、第３回胴の停止位置を決定する（Ｓ５１４）。図２
７に示したように、第２停止テーブル中には、第２回胴および第３回胴の両方の停止情報
（停止時間）が設定されていることから、第３回胴の停止位置を決定する際にも第２停止
テーブルを参照する。こうして決定した位置で第３回胴を停止したら（Ｓ５１６）、図２
４の回胴停止制御処理を終了して、図２３に示した回胴回転停止処理に復帰する。
【０１３８】
以上に説明したように、回胴回転停止処理では、内部当選している遊技役に応じて適切
な停止テーブルを抽出するとともに、回胴停止ボタン３８ａ，３８ｂ，３８ｃの何れかが
操作されると、対応する回胴のボタン操作時の回転位置に基づいて、停止テーブルを参照
しながら停止位置を決定することによって、各回胴２０ａ，２０ｂ，２０ｃを適切な位置
で停止させるようになっている。そして、全ての回胴２０ａ，２０ｂ，２０ｃを停止させ
たら、図７および図８に示した遊技制御処理に復帰した後、何れかの遊技役の入賞が成立
したか否かを判断し（図７のＳ１２２）、何れかの遊技役の入賞が成立していた場合には
（Ｓ１２２：ｙｅｓ）、成立した遊技役に応じて遊技状態フラグを設定したり（図８のＳ
１２４〜Ｓ１３４）、あるいは遊技メダルを払い出したりする処理を行った後（Ｓ１３６
〜Ｓ１４０）、再び処理の先頭に戻って、遊技状態設定処理に続く上述した一連の処理を
繰り返す。
【０１３９】
以上に説明したように、本実施例の遊技機１では、電力が供給されている間は、図７お
よび図８を用いて前述した遊技制御処理を繰り返し実行する。そして、１日の営業時間が
終了して、遊技機１の電源スイッチ１２０ｓをＯＦＦにすると、その時の遊技状態を、Ｒ
ＡＭ２０３やＲＡＭ２２３のバックアップ領域に記憶した後、図７および図８に示した遊
技制御処理を終了する。また、停電などによって電力の供給が突然切断された場合にも、
電力の供給が回復した後に切断前の遊技状態を復帰させるべく、遊技状態に関するデータ
をバックアップ領域に記憶する。
【０１４０】
ここで、上述したように本実施例の遊技機１では、回胴２０ａ，２０ｂ，２０ｃの回転
態様として、通常回転動作に加えて、態様Ａおよび態様Ｂの特殊回転動作が設けられてい
る。従って、回胴２０ａ，２０ｂ，２０ｃの回転中に電力の供給が切断された場合には、
電力供給が回復した後に、再び回胴２０ａ，２０ｂ，２０ｃが回転している状態に復帰さ
せるために、複雑な処理が必要となってしまう。そこで、本実施例の遊技機１では、電力
の供給が開始されると、以下に説明する特殊な電源投入処理を行うこととしている。尚、
特殊回転動作中に電源切断が発生した場合に、特殊回転動作の開始からの経過時間（すな
わち、特殊回転動作の残り時間に対応する時間）を記憶する動作は、主制御基板２００に
搭載されたＣＰＵ２０１によって行われている。従って、本実施例の主制御基板２００に
搭載されたＣＰＵ２０１は、本発明における「残り時間記憶手段」に対応している。
【０１４１】
Ｄ．電源投入処理  ：
図２８は、本実施例の遊技機１で行われる電源投入処理を示したフローチャートである
。この処理は、例えば、遊技ホールの開店時に遊技機１の電源スイッチ１２０ｓがＯＮに
された場合や、あるいは停電などで切断された電力の供給が回復した場合などに、図７お
よび図８の遊技制御処理に先立って行われる処理である。
【０１４２】
図示されるように、主制御基板２００のＣＰＵ２０１は、電源投入処理（Ｓ６００）を
開始すると、先ず始めに、ＲＡＭ２０３がクリアされたか否かを判断する（Ｓ６０２）。
すなわち、遊技機１には、いわゆる「クリアスイッチ」と呼ばれるスイッチが設けられて
おり、遊技ホールの担当者が、開店時などに前日の遊技状態を引き継がない状態で開店し
たいと考えた場合には、電源スイッチ１２０ｓをＯＮにする際に、クリアスイッチもＯＮ
にするようになっている。そこで、電源投入処理を開始すると、先ず始めに、ＲＡＭ２０
３がクリアされたか否か（すなわち、クリアスイッチがＯＮにされたか否か）を判断する
（Ｓ６０２）。その結果、ＲＡＭ２０３がクリアされたと判断された場合は（Ｓ６０２：
ｙｅｓ）、ＲＡＭ２０３のバックアップ領域に記憶されているデータや、ＲＡＭ２０３の
使用していない領域のデータを初期化した後（Ｓ６０４）、図２８の電源投入処理を終了
する。そして、電源投入処理の終了後は、図７および図８を用いて前述した遊技制御処理
を開始する。
【０１４３】
一方、電源の投入時に、ＲＡＭ２０３がクリアされていなかった場合は（Ｓ６０２：ｎ
ｏ）、電源切断前の遊技状態を復元させるために、ＲＡＭ２０３のバックアップ領域に記
憶されているデータを読み込む処理を行う（Ｓ６０６）。その結果、図１０を用いて前述
した内部当選フラグや、図１１を用いて前述した遊技状態フラグ、更には、特殊回転動作
中であれば、計時中の駆動時間などが、電源切断前の状態に復元される。
【０１４４】
そして、電源切断時に回胴２０ａ，２０ｂ，２０ｃが回転中だったか否かを、読み込ん
だデータに基づいて判断し（Ｓ６０８）、回転中ではなかったと判断された場合は（Ｓ６
０８：ｎｏ）、そのまま、図２８の電源投入処理を終了して、図７および図８に示した遊
技制御処理を開始する。その結果、遊技制御処理の先頭で行われる遊技状態設定処理では
、電源切断時の遊技状態が設定されて遊技が開始されることになる。
【０１４５】
これに対して電源切断時に回胴２０ａ，２０ｂ，２０ｃが回転中だったと判断された場
合は（Ｓ６０８：ｙｅｓ）、特殊回転フラグがＯＮに設定されているか否かを判断する（
Ｓ６１０）。特殊回転フラグとは、前述したように、ＢＢ役に内部当選するとＯＮに設定
されて（図７のＳ１１４）、特殊回転動作が終了するとＯＦＦに戻されるフラグである（
図１５のＳ３０６）。従って、図２８に示した電源投入処理のＳ６１０で、特殊回転フラ
グがＯＮと判断されるということは、特殊回転動作中に電源が切断されたことを示してい
る。逆に、特殊回転フラグがＯＦＦになっているということは、Ｓ６０８において回胴２
０ａ，２０ｂ，２０ｃは回転中であったと判断されているから、通常回転動作中に電源が
切断されたことを示している。なお、特殊回転フラグがＯＮと判断された際には、特殊回
転動作実行時にＲＡＭ２０３に記憶しておいた「特殊回転動作態様情報」を読み出すこと
で、電断前の特殊回転動作が、何れの特殊回転動作態様であったかも把握可能になってい
る。
【０１４６】
そこで、回胴２０ａ，２０ｂ，２０ｃが回転中と判断された場合には（Ｓ６０８：ｙｅ
ｓ）、続いて、特殊回転フラグがＯＮに設定されているか否かを判断し（Ｓ６１０）、特
殊回転フラグがＯＮではなかった場合は（Ｓ６１０：ｎｏ）、回胴２０ａ，２０ｂ，２０
ｃを通常回転動作状態に復帰させる（Ｓ６１２）。すなわち、図１７に示した駆動スケジ
ュールと同様に、カウント値の設定を次第に小さくしながら、励磁状態を正方向に順番に
切り換えていくことによって、回胴２０ａ，２０ｂ，２０ｃを正方向に加速させた後、カ
ウント値が「１」に達したら、そのカウント値を保ったまま、励磁状態を正方向に順番に
切り換えることによって、通常回転動作の定速駆動状態に復帰させる。また、通常回転動
作中は、回胴センサ２６ａ，２６ｂ，２６ｃによって、各回胴２０ａ，２０ｂ，２０ｃの
回転位置が検出されているが、電源が切断されたことに伴って、回胴２０ａ，２０ｂ，２
０ｃの位置も切断前の位置からはずれてしまっているので、回転位置を再検出する処理も
行われる。こうして、電源が切断される前の状態に復帰させた後、図２８の電源投入処理
を終了して、図７および図８に示した遊技制御処理を開始する。
【０１４７】
尚、通常回転動作（通常動作）中に電源切断状態になった場合、電源の投入後に、回胴
２０ａ，２０ｂ，２０ｃを通常回転動作（通常動作）させる処理は、図２８に示した電源
投入処理の中で実行されている。この電源投入処理は、主制御基板２００に搭載されたＣ
ＰＵ２０１によって実行されていることから、本実施例の主制御基板２００のＣＰＵ２０
１は、本発明における「通常復帰手段」に対応するものとなっている。
【０１４８】
一方、図２８の電源投入処理のＳ６１０で、特殊回転フラグがＯＮになっていると判断
された場合は（Ｓ６１０：ｙｅｓ）、特殊回転動作中に電源が切断されているから、復帰
させる回転状態は特殊回転動作状態であるのが通常である。しかし、図２０〜図２２を用
いて前述したように、特殊回転動作状態は通常回転動作状態と比べて回転態様が複雑であ
るため、電源切断前の状態と同じ状態に復帰させるための処理がたいへん複雑になってし
まう。具体的には、特殊回転動作の態様が「態様Ａ」の場合、電源切断前の状態に完全に
復帰させるために、「回胴の回転速度に関する情報」や「回転方向に関する情報」といっ
た「態様Ａ」を再現する様々な情報を読み込む処理が必要となる。また、特殊回転動作の
態様が「態様Ｂ」の場合、回胴演出の進行（特殊回転動作の進行）に応じて回転態様が変
化するので（前述した第１のスロー一定速度や第２のスロー一定速度）、電源切断前の状
態に完全に復帰させるのに回胴演出の進行経過を把握するための様々な情報を読み込む処
理が必要となる。これらの処理は、復帰時に読み込むデータ量が多ければ多いほど複雑化
し、回胴式遊技機の速やかな復帰を阻害する要因になる虞がある。そこで、本実施例の遊
技機１では、回胴２０ａ，２０ｂ，２０ｃの特殊回転動作中に電源が切断された場合には
、次のような特殊回転動作復帰処理（Ｓ６１４）を行うことによって、回胴２０ａ，２０
ｂ，２０ｃの回転を復帰させることとしている。
【０１４９】
Ｅ．第１実施例の特殊回転動作復帰処理  ：
図２９は、第１実施例の特殊回転動作復帰処理を示すフローチャートである。図示され
るように、第１実施例の特殊回転動作復帰処理を開始すると、先ず始めに、電源切断時に
計時されていた駆動時間を参照して、その駆動時間が、最後の減速開始時間を経過してい
るか否かを判断する（Ｓ７００）。すなわち、図１９を用いて前述したように、特殊回転
動作は、駆動時間の計時を開始すると共に（図１９のＳ３５４）、予め設定された駆動ス
ケジュールに従ってステップモータを駆動することによって実現されており（Ｓ３５６）
、また、図２０に示したように、特殊回転動作では最後に、回胴２０ａ，２０ｂ，２０ｃ
を一旦停止させている。そこで、電源切断時の駆動時間が、最後に回胴２０ａ，２０ｂ，
２０ｃを停止させるために減速する時間を経過しているか否かを判断するのである。図２
０に示されるように、特殊回転動作の態様が態様Ａの場合には、時間Ｔa1が最後の減速開
始時間となり、特殊回転動作の態様が態様Ｂの場合には、時間Ｔb3が最後の減速開始時間
となる。
【０１５０】
その結果、最後の減速開始時間が経過していると判断された場合は（Ｓ７００：ｙｅｓ
）、残った駆動時間の計時を開始した後（Ｓ７０２）、回胴２０ａ，２０ｂ，２０ｃを停
止させたまま（Ｓ７１０）、特殊回転時間が経過したか否かを判断する（Ｓ７１２）。図
２０を用いて前述したように、特殊回転動作の態様が態様Ａである場合には、特殊回転時
間は時間Ｔa2に設定されており、特殊回転動作の態様が態様Ｂである場合には、特殊回転
時間は時間Ｔb4に設定されている。その結果、特殊回転時間が経過していない場合は（Ｓ
７１２：ｎｏ）、そのまま待機状態となる。その後、特殊回転時間の経過が確認されたら
（Ｓ７１２：ｙｅｓ）、特殊回転フラグをＯＦＦにして（Ｓ７１４）、通常回転動作を開
始した後（Ｓ７１６）、図２９に示した第１実施例の特殊回転動作復帰処理を終了して、
図２８の電源投入処理に復帰する。
【０１５１】
このように、第１実施例の特殊回転動作復帰処理を開始したときに、最後の減速開始時
間が経過していると判断された場合には（Ｓ７００：ｙｅｓ）、特殊回転動作の終了間際
に電源切断が発生したことになるので、回胴２０ａ，２０ｂ，２０ｃを停止させたまま特
殊回転時間が経過するまで待って、その後、通常回転動作を開始することによって、電源
切断前に状態に復帰させる。
【０１５２】
これに対して、最後の減速開始時間が経過していないと判断された場合には（Ｓ７００
：ｎｏ）、以下のようにして電源切断前の状態に復帰させる。先ず、残った駆動時間の計
時を開始する（Ｓ７０４）。そして、ステップモータの励磁状態を切り換えるためのカウ
ント値を「１５」に設定した後、ステップモータの駆動を開始する（Ｓ７０６）。例えば
、図２０（ａ）に示した態様Ａの特殊回転動作であれば、回胴２０ａ，２０ｂ，２０ｃは
負方向に回転しているから、タイマー割り込みの発生回数がカウント値「１５」に達する
度に、ステップモータの励磁状態を負方向に順番に切り換えていく。図２８を用いて前述
したように、電源投入時にＲＡＭ２０３がクリアされていない場合は、ＲＡＭ２０３のバ
ックアップ領域から電源切断前の状態が読み込まれるので、特殊回転動作の態様や、回転
方向などの情報を知ることができる。その結果、回胴２０ａ，２０ｂ，２０ｃは、負方向
にゆっくりと回転することになる。また、図２０（ｂ）に示した態様Ｂの特殊回転動作で
あれば、回胴２０ａ，２０ｂ，２０ｃは正方向に回転しているから、カウント値が「１５
」に達する度に、ステップモータの励磁状態を正方向に順番に切り換えていく。その結果
、回胴２０ａ，２０ｂ，２０ｃは、正方向にゆっくりと回転することになる。なお、この
「ゆっくりとした回転」は、通常の回転速度、第１のスロー一定速度、および第２のスロ
ー一定速度よりも遅い復帰用スロー速度（本実施例では１０．０００回転／分）で各回胴
を回転させる状態であり、態様Ａと態様Ｂのときで回転方向が異なるものの回転速度は同
じ値である。
【０１５３】
こうして回胴２０ａ，２０ｂ，２０ｃをゆっくりと回転させたら、今度は、最後の減速
開始時間に達したか否かを判断する（Ｓ７０８）。最後の減速開始時間に達していない場
合は（Ｓ７０８：ｎｏ）、回胴２０ａ，２０ｂ，２０ｃをゆっくりと回転させたまま、最
後の減速開始時間になるまで待機状態となる。そして、最後の減速開始時間に達したら（
Ｓ７０８：ｙｅｓ）、回胴２０ａ，２０ｂ，２０ｃを停止させて（Ｓ７１０）、特殊回転
時間が経過するまでそのまま待機状態となり（Ｓ７１２）、特殊回転時間が経過したら（
Ｓ７１２：ｙｅｓ）、特殊回転フラグをＯＦＦにすると共に（Ｓ７１４）、通常回転動作
を開始して（Ｓ７１６）、図２９の特殊回転動作復帰処理を終了する。
【０１５４】
図３０は、上述した第１実施例の特殊回転動作復帰処理によって、電源切断前の状態に
復帰する様子を示した説明図である。図３０（ａ）には、電源切断に態様Ａの特殊回転動
作をしていた場合が示されており、図３０（ｂ）には、態様Ｂの特殊回転動作をしていた
場合が示されている。例えば、図３０（ａ）に示したように、態様Ａでの特殊回転動作の
開始後、時間Ｔｘが経過した時点で電源切断（電断）が発生したものとする。時間Ｔｘで
は、回胴２０ａ，２０ｂ，２０ｃは負方向に一定速度で回転しているから、電源投入後は
、時間Ｔｘから計時を開始すると共に、回胴２０ａ，２０ｂ，２０ｃを負方向にゆっくり
と回転させる。そして、最後の減速開始時間（Ｔa1）に達したら、回胴２０ａ，２０ｂ，
２０ｃを停止させて、特殊回転時間（Ｔa2）が経過するまでそのまま待機状態となり、特
殊回転時間（Ｔa2）が経過したら、通常回転動作を開始させる。
【０１５５】
一方、図３０（ｂ）に示したように、態様Ｂでの特殊回転動作の開始後、時間Ｔｘが経
過した時点で電源切断（電断）が発生したものとすると、電源切断時点では、回胴２０ａ
，２０ｂ，２０ｃは正方向に一定速度で回転しているから、電源投入後は、時間Ｔｘから
計時を開始すると共に、回胴２０ａ，２０ｂ，２０ｃは、正方向にゆっくりと回転させる
。そして、最後の減速開始時間（Ｔb3）に達したら、回胴２０ａ，２０ｂ，２０ｃを停止
させて、特殊回転時間（Ｔb4）が経過するまでそのまま待機状態となり、特殊回転時間（
Ｔa2）が経過したら、通常回転動作を開始させる。
【０１５６】
このように、第１実施例の特殊回転動作復帰処理では、特殊回転動作中に電源切断が発
生すると、電源投入後は、電源切断前に行われていた特殊回転動作の種類にかかわらず、
復帰時専用の速度（復帰用スロー速度）で回胴２０ａ，２０ｂ，２０ｃをゆっくりと回転
させた状態で、電源切断以降の計時を行う。そして、最後の減速開始時間に達したら、回
胴２０ａ，２０ｂ，２０ｃを一旦、停止させた後、通常回転動作を開始する。つまり、電
源切断前に行われていた特殊回転動作の回転速度とは異なる速度で回胴を回転させる処理
を行う。こうすれば、電源切断からの復帰時に、電源切断前の状態に関する情報（特殊回
転動作に関する情報）のうち全てを読み込む必要が無く、「残り時間の情報」および「回
転方向の情報」だけ読み込めばよい。したがって、様々な種類の特殊回転動作が搭載され
ていても、復帰時に共通の処理（本実施例では共通の速度にする処理）を有することから
、各特殊回転動作に完全に復帰させる場合に比べて制御を簡素化できる。さらに、遊技者
は、ゆっくりとした回転および回転方向を確認することで、復帰中であることや電断前に
どの特殊回転動作が行われていたのかを把握でき、安心感を与えられる。そして、回胴２
０ａ，２０ｂ，２０ｃがゆっくりと回転した後は、電源切断が発生しなかった場合と同様
に、一旦、停止してから通常回転動作が開始されるので、遊技者は自然に遊技を再開する
ことが可能となる。
【０１５７】
また、図２１あるいは図２２を用いて前述したように、特殊回転動作は、予め定められ
た駆動スケジュールに従ってステップモータを駆動することによって実現されているため
、途中から特殊回転動作を再開することは容易ではない。しかし、上述したように、第１
実施例の特殊回転動作復帰処理では、回転駆動に関するカウント値を一定値に固定してし
まうので、処理が複雑化することも無い。
【０１５８】
尚、特殊回転動作中に電源切断状態が発生した場合、電源の投入後に、残りの特殊回転
時間が経過するまでは、特殊回転動作の態様によらず、回胴２０ａ，２０ｂ，２０ｃがゆ
っくりと回転する状態である復帰時用動作を行う状態に復帰させる処理は、図２９に示し
た特殊回転動作復帰処理の中で実行されている。この特殊回転動作復帰処理は、主制御基
板２００に搭載されたＣＰＵ２０１によって実行されていることから、本実施例の主制御
基板２００のＣＰＵ２０１は、本発明における「特殊復帰手段」に対応するものとなって
いる。
【０１５９】
また、電源切断状態からの復帰時には、実際には、回胴２０ａ，２０ｂ，２０ｃは停止
していると考えられ、回胴２０ａ，２０ｂ，２０ｃが停止している状態からは、図１７あ
るいは図２１、図２２の各種の駆動スケジュールに示されるように、初めは大きなカウン
ト値（例えば「９０」）を設定して、その後、次第にカウント値を小さくしていくのが本
来である。しかし、上述したように、第１実施例の特殊回転動作復帰処理では、回胴２０
ａ，２０ｂ，２０ｃが停止している状態にしては、カウント値を小さな値に設定している
。こうすると、カウント値の設定を次第に小さくしていく場合のように、速やかに回胴２
０ａ，２０ｂ，２０ｃを加速させることはできないが、カウント値を固定したままで、あ
る程度の速度で回胴２０ａ，２０ｂ，２０ｃを回転させることが可能である。その結果、
電源投入後から通常回転動作を開始するまでの間、回胴２０ａ，２０ｂ，２０ｃをゆっく
りと回転させる処理も、極めて単純な処理とすることが可能となる。
【０１６０】
更に、上述した第１実施例の特殊回転動作復帰処理では、特殊回転動作中に電源切断が
発生した後に電源が投入されると、電源切断によって計時が中断した時点から特殊回転時
間の計時を再開し、特殊回転時間が経過したら通常回転動作を開始するようになっている
。一般に、回胴式遊技機は、遊技者によって遊技が行われる時間あたりのゲーム回数が、
ある程度のゲーム回数となるように、各種演出の時間配分が決定されている。従って、電
源切断から復帰すると、中断した時点から計時を再開するようにしているので、各種演出
の時間配分を保っておくことができるという利点も生じる。
【０１６１】
尚、上述した第１実施例では、電源が投入された後、カウント値を「１５」に設定して
ステップモータを駆動するものとして説明した。しかし、カウント値の設定は、必ずしも
「１５」である必要はない。極端な場合、電源切断時のカウント値「１」に設定しても良
い。電源の投入時点では回胴２０ａ，２０ｂ，２０ｃは停止しているから、いきなりカウ
ント値を「１」に設定してステップモータを駆動しても、励磁状態の切り換え速度が速す
ぎて、ステップモータで十分なトルクを発生させることができず、回胴２０ａ，２０ｂ，
２０ｃがゆっくりと回転するだけとなる。しかし、遊技者にとっては、回胴２０ａ，２０
ｂ，２０ｃがゆっくりと回転する点で、カウント値を「１５」に設定した場合と変わりは
ない。従って、このようにすれば、単純に、電源切断時と同じ制御状態に復帰させるだけ
でよいので、電源投入時の処理をより一層、単純なものとすることが可能となる。
【０１６２】
更には、より単純には、電源の投入後、特殊回転時間が経過するまで、回胴２０ａ，２
０ｂ，２０ｃが停止した状態としておき、特殊回転時間が経過したら、通常回転動作を開
始させるようにしてもよい。このようにすれば、特殊回転動作中に電源切断が発生した場
合に、回胴に最も負担をかけずに回胴式遊技機を速やかに復帰させることが可能となる。
また、この場合は、特殊回転動作に関する情報として「残り時間の情報」だけを読み込め
ばよい。したがって、電源切断前の状態を読み込む処理を一層削減でき、制御を簡素化で
きる。また、電源切断によって特殊回転動作が中断された時点から計時を再開して、特殊
回転時間が経過した後に、通常回転動作が開始されるので、回胴式遊技機の各種演出の時
間配分を保っておくことが可能となる。
【０１６３】
Ｆ．第２実施例の特殊回転動作復帰処理  ：
以上に説明した第１実施例の特殊回転動作復帰処理では、特殊回転動作中に電源切断が
発生した場合には、電源投入後、回胴２０ａ，２０ｂ，２０ｃをゆっくりと回転させるが
、電源切断が特殊回転動作の終了間際に発生した場合には、回胴２０ａ，２０ｂ，２０ｃ
を停止状態とするものとして説明した。しかし、電源切断が発生したタイミングが、特殊
回転動作の開始直後であった場合には、電源投入後に、もう一度、特殊回転動作をやり直
すようにしても良い。以下では、このような第２実施例の特殊回転動作復帰処理について
説明する。
【０１６４】
図３１は、第２実施例の特殊回転動作復帰処理を示すフローチャートである。図示した
第２実施例の特殊回転動作復帰処理は、図２９を用いて前述した第１実施例の特殊回転動
作復帰処理に対して、特殊回転動作の開始直後に電源切断が発生していた場合には、その
特殊回転動作をやり直す点が異なっている。すなわち、第２実施例の特殊回転動作復帰処
理を開始すると、先ず始めに、電源切断時に計時されていた駆動時間を参照して、その駆
動時間が、所定の基準時間に達しているか否かを判断する（Ｓ８００）。基準時間は、特
殊回転動作の態様毎に設定しておいても良いし、特殊回転動作の態様によらず、一定値と
しておくことも可能であるが、何れの場合も、基準時間は比較的短い時間に設定されてい
る。この基準時間の意味するところについては、後述する。
【０１６５】
そして、電源切断時の計時時間が、所定の基準時間に達していないと判断された場合は
（Ｓ８００：ｎｏ）、電源切断によって中断された時点から、再び計時を開始すると共に
（Ｓ８０２）、図１９を用いて前述したようにして、特殊回転動作を実行する（Ｓ８０４
）。すなわち、予め設定された駆動スケジュールに従ってステップモータを駆動し、正方
向あるいは負方向に加速駆動を行った後、定速駆動に移行する。そして定速駆動の状態で
、駆動スケジュールに設定された最初の減速開始時間に達すると、減速駆動を開始する。
従って、電源切断時の計時時間が、最初の減速開始時間に対して十分な余裕があれば、駆
動スケジュールに従って特殊回転動作の加速をやり直しても、ある程度の時間（例えば、
２〜３秒）の定速駆動の期間を確保して、減速駆動の開始に間に合わせることができる。
第２実施例の特殊回転動作復帰処理で最初に判断する基準時間とは、駆動スケジュールに
従って特殊回転動作の加速をやり直しても、減速駆動の開始までに十分に間に合わせるこ
とができるような計時時間である。図２０から明らかなように、厳密な意味での基準時間
は、特殊回転動作の態様毎に異なっているので、態様毎に基準時間を設定しておいてもよ
いが、少し短めの基準時間を設定しておき、どちらの態様に対しても適用可能としても良
い。
【０１６６】
こうして、電源切断時の駆動時間が、所定の基準時間に達していなかった場合は（Ｓ８
００：ｎｏ）、残った駆動時間の計時を再開すると共に（Ｓ８０２）、駆動スケジュール
に従って特殊回転動作を実行する（Ｓ８０４）。そして、特殊回転動作を終了したら、特
殊回転フラグをＯＦＦに設定した後（Ｓ８１８）、通常回転動作を開始して（Ｓ８２０）
、図３１に示した第２実施例の特殊回転動作復帰処理を終了する。
【０１６７】
これに対して、電源切断時の駆動時間が、所定の基準時間を超えていたと判断された場
合は（Ｓ８００：ｙｅｓ）、図２９に示した第１実施例の特殊回転動作復帰処理と同様な
処理を行う。以下、簡単に説明すると、残った駆動時間の計時を開始して（Ｓ８０８）、
ステップモータの励磁状態を切り換えるためのカウント値を「１５」に設定した後、ステ
ップモータの駆動を開始する（Ｓ８１０）。続いて、最後の減速開始時間に達したか否か
を判断する（Ｓ８１２）。最後の減速開始時間とは、前述したように、特殊回転動作の態
様が態様Ａであれば時間Ｔa1となり、態様Ｂであれば時間Ｔb3となる。そして、最後の減
速開始時間に達したら（Ｓ８１２：ｙｅｓ）、回胴２０ａ，２０ｂ，２０ｃを停止させて
（Ｓ８１４）、特殊回転時間が経過するまでそのまま待機状態となり（Ｓ８１６）、特殊
回転時間が経過したら（Ｓ８１６：ｙｅｓ）、特殊回転フラグをＯＦＦにすると共に（Ｓ
８１８）、通常回転動作を開始して（Ｓ８２０）、図３１に示した第２実施例の特殊回転
動作復帰処理を終了する。
【０１６８】
このように、第２実施例の特殊回転動作復帰処理では、特殊回転動作の開始直後に電源
切断が発生すると、電源投入後に特殊回転動作を最初からやり直すこととしている。最初
からやり直すのであれば、正規の駆動スケジュールをそのまま使用することができるので
、電源切断前の状態に復帰させる処理が複雑になることがない。また、特殊回転動作があ
る程度進んだタイミングで電源切断が発生している場合は、前述した第１実施例と同様に
、電源投入後は、回胴２０ａ，２０ｂ，２０ｃをゆっくりと回転させ、その後、通常回転
動作を行う。従って、電源切断前の状態に復帰させる処理が複雑になることが無く、また
遊技者が自然に遊技を再開することが可能となる。
【０１６９】
また、上述した第２実施例の特殊回転動作復帰処理においても、電源が投入されると、
電源切断によって計時が中断した時点から特殊回転時間の計時を再開し、特殊回転時間が
経過したら通常回転動作が開始される。このため、回胴式遊技機で行われる各種演出の時
間配分が、想定されている時間配分からずれてしまうことも無い。
【０１７０】
以上、本発明について各種の実施の形態を説明したが、本発明はこれに限定されるもの
ではなく、各請求項に記載した範囲を逸脱しない限り、各請求項の記載文言に限定されず
、当業者がそれらから容易に置き換えられる範囲にも及び、かつ、当業者が通常有する知
識に基づく改良を適宜付加することができる。
【０１７１】
例えば、上述した第１、第２実施例の特殊回転動作は、回胴２０ａ，２０ｂ，２０ｃの
全てで通常と異なる特殊な回転を行うこととしていたが、回胴２０ａ，２０ｂ，２０ｃの
うちの２つ又はいずれか１つだけが特殊回転動作を行うようにしてもよい。この場合、復
帰処理においても、特殊回転動作を行っていた回胴のみを対象として各実施例で記載した
復帰処理を行うこととすればよい。この構成でも上述した第１、第２実施例と同等の効果
を奏することができる。
【産業上の利用可能性】
【０１７２】
本発明は、遊技ホールで用いられる回胴式遊技機に利用することができる。
【符号の説明】
【０１７３】
１…回胴式遊技機（遊技機）、  ２０…表示窓、  ２０ａ，２０ｂ，２０ｃ…回胴、
３８ａ，３８ｂ，３８ｃ…回胴停止ボタン、  ２００…主制御基板、
２０１…ＣＰＵ（通常回転手段、特殊回転手段、復帰手段）
【図１】
0005561391.tif 000002
【図２】
0005561391.tif 000003
【図３】
0005561391.tif 000004
【図４】
0005561391.tif 000005
【図５】
0005561391.tif 000006
【図６】
0005561391.tif 000007
【図７】
0005561391.tif 000008
【図８】
0005561391.tif 000009
【図９】
0005561391.tif 000010
【図１０】
0005561391.tif 000011
【図１１】
0005561391.tif 000012
【図１２】
0005561391.tif 000013
【図１３】
0005561391.tif 000014
【図１４】
0005561391.tif 000015
【図１５】
0005561391.tif 000016
【図１６】
0005561391.tif 000017
【図１７】
0005561391.tif 000018
【図１８】
0005561391.tif 000019
【図１９】
0005561391.tif 000020
【図２０】
0005561391.tif 000021
【図２１】
0005561391.tif 000022
【図２２】
0005561391.tif 000023
【図２３】
0005561391.tif 000024
【図２４】
0005561391.tif 000025
【図２５】
0005561391.tif 000026
【図２６】
0005561391.tif 000027
【図２７】
0005561391.tif 000028
【図２８】
0005561391.tif 000029
【図２９】
0005561391.tif 000030
【図３０】
0005561391.tif 000031
【図３１】
0005561391.tif 000032